(57)【要約】【課題】使用者の手を煩わせることなく、蓄積しているコンテンツデータを系統立てて提示できるようにする。【解決手段】メモリ部１０５の不揮発性メモリに蓄積されているコンテンツデータについては、そのメタデータやタイトル、本文などの情報を、制御部１０８が、メモリ部１０５の不揮発性メモリに記憶保持されているいわゆるオントロジ辞書に基づいて解析、分類し、この分類結果に応じて、他の通信端末装置から提供を受ける他者属性情報の内の高レイティングのものと同じメタデータやワードを有するコンテンツデータを抽出するよにして、これを優先的に出力するようにする。【選択図】図１
2008117163.tif 000002
【特許請求の範囲】
【請求項１】
画像データやテキストデータなどのコンテンツデータを記憶保持するコンテンツ記憶手段と、
前記コンテンツ記憶手段に記憶される、あるいは、前記コンテンツ記憶手段に記憶されているコンテンツデータに対するメタデータを受け付けて、当該メタデータを目的とする前記コンテンツデータに付加する付加手段と、
相手先からの使用者に関する属性情報である他者属性情報を受信する受信手段と、
前記受信手段を通じて受信した前記他者属性情報を記憶保持する他者属性記憶手段と、
各ワードに対して属性を付加することができると共に、ワード間に意味上のつながりを持つように記述された辞書情報を記憶保持する辞書記憶手段と、
前記辞書記憶手段に記憶された前記辞書情報に基づいて、前記コンテンツ記憶手段に記憶されている各コンテンツデータの前記メタデータや主にテキストデータであるコンテンツデータのタイトル部分や本文を解析して分類する分類手段と、
前記分類手段による分類結果に基づいて、前記他者属性記憶手段に記憶されている前記他者属性情報のうち、レイティングの高い他者属性情報と同じメタデータやワードなどの情報を有するコンテンツデータを抽出する抽出手段と、
前記抽出手段により抽出されたコンテンツデータを出力する出力手段と
を備えることを特徴とする通信端末装置。
【請求項２】
請求項１に記載の通信端末装置であって、
自機の使用者に関する属性情報である自己属性情報を記憶保持する自己属性記憶手段と、
前記自己属性記憶手段に記憶保持されている前記自己属性情報を、目的とする相手先の通信端末装置に送信する送信手段と
を備えることを特徴とする通信端末装置。
【請求項３】
請求項２に記載の通信端末装置であって、
前記抽出手段は、前記自己属性記憶手段に記憶されている前記自己属性情報と前記他者属性情報記憶手段に記憶保持されている前記他者属性手段との両方を考慮し、レイティングの高い使用者に関する属性情報と同じ情報を有するコンテンツデータを抽出することを特徴とする通信端末装置。
【請求項４】
請求項１に記載の通信端末装置であって、
各ワードに対して属性を付加することができると共に、ワード間に意味上のつながりを持つようにされた他端末の辞書情報を受信する辞書情報受信手段と、
前記辞書情報受信手段を通じて受信した前記他端末の辞書情報を記憶保持する他辞書記憶手段と
を備え、
前記分類手段は、前記他辞書記憶手段に記憶保持された前記他端末の辞書情報をも考慮して、前記コンテンツ記憶手段に記憶されている各コンテンツデータの前記メタデータや主にテキストデータであるコンテンツデータのタイトル部分や本文を解析して分類することを特徴とする通信端末装置。
【請求項５】
請求項４に記載の発明の通信端末装置であって
前記辞書記憶手段に記憶保持されている自己の前記辞書情報を、目的とする相手先の通信端末装置に送信する辞書情報送信手段を備えることを特徴とする通信端末装置。
【請求項６】
コンテンツ記憶手段に記憶される、あるいは、前記コンテンツ記憶手段に記憶されている画像データやテキストデータなどのコンテンツデータに対するメタデータを受け付けて、当該メタデータを目的とする前記コンテンツデータに付加する付加ステップと、
相手先からの使用者に関する属性情報である他者属性情報を受信する受信ステップと、
前記受信ステップを通じて受信した前記他者属性情報を他者属性記憶手段に記録する他者属性情報記録ステップと、
各ワードに対して属性を付加することができると共に、ワード間に意味上のつながりを持つように記述された辞書情報に基づいて、前記コンテンツ記憶手段に記憶されている各コンテンツデータの前記メタデータや主にテキストデータであるコンテンツデータのタイトル部分や本文を解析して分類する分類ステップと、
前記分類ステップにおいての分類結果に基づいて、前記他者属性記憶手段に記憶されている前記他者属性情報のうち、レイティングの高い他者属性情報と同じメタデータやワードなどの情報を有するコンテンツデータを抽出する抽出ステップと、
前記抽出ステップにおいて抽出したコンテンツデータを出力する出力ステップと
を有することを特徴とする情報検索方法。
【請求項７】
請求項６に記載の情報検索方法であって、
自機の使用者に関する属性情報である自己属性情報の入力を受け付ける自己属性情報受付ステップと、
前記自己属性情報受付ステップを通じて受け付けた前記自己属性情報を自己属性記憶手段に記録するようにする自者属性情報記録ステップと、
前記自己属性記憶手段に記憶保持されている前記自己属性情報を、目的とする相手先の通信端末装置に送信する送信ステップと
を有することを特徴とする情報検索方法。
【請求項８】
請求項７に記載の情報検索方法であって、
前記抽出ステップにおいては、前記自己属性記憶手段に記憶されている前記自己属性情報と前記他者属性情報記憶手段に記憶保持されている前記他者属性手段との両方を考慮し、レイティングの高い使用者に関する属性情報と同じ情報を有するコンテンツデータを抽出することを特徴とする情報検索方法。
【請求項９】
請求項６に記載の情報検索方法であって、
各ワードに対して属性を付加することができると共に、ワード間に意味上のつながりを持つように記述された他端末の辞書情報を受信する辞書情報受信ステップと、
前記辞書情報受信ステップにおいて受信した前記他端末の辞書情報を他辞書記憶手段に記録する他辞書情報記録ステップと
を有し、
前記分類ステップにおいては、前記他辞書記憶手段に記憶保持された前記他端末の辞書情報をも考慮して、前記コンテンツ記憶手段に記憶されている各コンテンツデータの前記メタデータや主にテキストデータであるコンテンツデータのタイトル部分や本文を解析して分類することを特徴とする情報検索方法。
【請求項１０】
請求項６に記載の情報検索方法であって、
前記辞書記憶手段に記憶保持されている自己の前記辞書情報を、目的とする相手先の通信端末装置に送信する辞書情報送信ステップを有することを特徴とする情報検索方法。
【発明の詳細な説明】
【技術分野】
【０００１】
この発明は、例えば、携帯電話端末などの通信端末装置、この通信端末装置で用いられる情報検索方法に関する。
【背景技術】
【０００２】
携帯電話端末は、単に電話通信（通話）を行うツールとしてだけではなく、インターネット上に設けられたサーバ装置からダウンロードしてくる画像データやテキストデータなどの情報や、インターネットを通じて送受した電子メールなどの情報や、自機に搭載されたカメラ機能により撮影した画像の画像データなど、種々のコンテンツデータを蓄積して管理する情報管理端末としても用いられている。
【０００３】
このため、携帯電話端末には、記憶容量の大きなメモリが搭載されたり、着脱可能とされた外部メモリの利用ができるようにされたりするなど、より多くのコンテンツデータを記憶保持して利用することができるようにされている。このような携帯電話端末においては、自機に記憶保持されているコンテンツデータの中から、使用者（ユーザー）が目的とするコンテンツデータを迅速に検索できるようにするために、いわゆる検索エンジンの場合と同様に、キーワードによるコンテンツデータの検索が行われている。
【０００４】
また、後に記す特許文献１にも開示されているように、各使用者が自己の感性に応じたコンテンツデータの検索を可能にするために、コンテンツデータに付す検索用情報を生成する方法などに関する情報が開示されている。なお、上記の特許文献１は、以下の通りである。
【特許文献１】特開２００２−２３０００７号公報
【発明の開示】
【発明が解決しようとする課題】
【０００５】
ところで、携帯電話端末のメモリに大量に蓄積されたコンテンツデータの中から、目的とするコンテンツデータをピンポイントで検索できるようにすることは重要である。しかし、近年においては、自機に大量に蓄積されている種々のコンテンツデータの中から、関連性のあるコンテンツデータを系統立てて出力するようにして、携帯電話端末のメモリに蓄積されているコンテンツデータを無駄なく、しかも効果的に利用したいとする要求が大きくなって来ている。
【０００６】
関連性のあるコンテンツデータを系統立てて出力することを実現する場合、簡単には、自己の携帯電話端末のメモリに蓄積されている大量のコンテンツデータを、使用者（ユーザー）が手動で系統立ててソートする（並べ替える）ようにすることが考えられる。しかし、大量のコンテンツデータを並べ替えなければならないので、手間や時間が係るし、携帯電話端末の表示画面は比較的に小さい場合が多いために、大量のコンテンツデータの並べ替え作業は困難である。
【０００７】
以上のことに鑑み、この発明は、使用者の手を煩わせることなく、蓄積しているコンテンツデータを系統立てて提示できるようにすることを特徴とする。
【課題を解決するための手段】
【０００８】
上記課題を解決するため、請求項１に記載の発明の通信端末装置は、
画像データやテキストデータなどのコンテンツデータを記憶保持するコンテンツ記憶手段と、
前記コンテンツ記憶手段に記憶される、あるいは、前記コンテンツ記憶手段に記憶されているコンテンツデータに対するメタデータを受け付けて、当該メタデータを目的とする前記コンテンツデータに付加する付加手段と、
相手先からの使用者に関する属性情報である他者属性情報を受信する受信手段と、
前記受信手段を通じて受信した前記他者属性情報を記憶保持する他者属性記憶手段と、
各ワードに対して属性を付加することができると共に、ワード間に意味上のつながりを持つように記述された辞書情報を記憶保持する辞書記憶手段と、
前記辞書記憶手段に記憶された前記辞書情報に基づいて、前記コンテンツ記憶手段に記憶されている各コンテンツデータの前記メタデータや主にテキストデータであるコンテンツデータのタイトル部分や本文を解析して分類する分類手段と、
前記分類手段による分類結果に基づいて、前記他者属性記憶手段に記憶されている前記他者属性情報のうち、レイティングの高い他者属性情報と同じメタデータやワードなどの情報を有するコンテンツデータを抽出する抽出手段と、
前記抽出手段により抽出されたコンテンツデータを出力する出力手段と
を備えることを特徴とする。
【０００９】
この請求項１に記載の発明の通信端末装置によれば、取得されてコンテンツ記憶手段に記憶されるコンテンツデータや、当該コンテンツ記憶手段に記憶されているコンテンツデータに対しては、付加手段を通じてメタデータを付加することができるようにされる。そして、分類手段により、各ワードに対して属性を付加することができると共に、ワード間に意味上のつながりを持つように記述されている辞書情報（いわゆるオントロジ辞書情報）に基づいて、コンテンツ記憶手段に記憶されているコンテンツデータに付加されているメタデータやコンテンツデータが電子メールデータのようなテキストデータであるときには、そのタイトルや本文などが解析されて、分類される。例えば、高レイティングのメタデータやワード（語）を有するコンテンツデータが上位に位置するように分類される。
【００１０】
ここで言うレイティングという文言は、出現頻度、ユーザーによるプライオリティづけ（重み付け）、格付け、ランク付けなどを意味する。すなわち、レイティングは、出現頻度のように計算で求められるものの他、ユーザーによって設定されるプライオリティづけされた情報をも含んでいる。
【００１１】
そして、抽出手段により、分類されたコンテンツデータの中から、受信手段を通じて受信し、他者属性記憶手段に記憶保持されている、他の通信端末装置からの他者属性情報の内の高レイティングのものと一致するメタデータやワード（語）を有するコンテンツデータが抽出され、この抽出されたコンテンツデータが出力手段を通じて出力される。
【００１２】
このように、コンテンツ記憶手段に記憶保持されているコンテンツデータは、いわゆるオントロジ辞書に基づいて解析、分類され、他の通信端末装置から提供を受ける他者属性情報の内の高レイティングのものと同じメタデータやワードを有するコンテンツデータが、抽出されて出力される。
【００１３】
これにより、通信端末装置の使用者は、従来通り、必要に応じて、コンテンツデータに対してメタデータを付加したり、辞書情報に属性情報を付加したりするなどのいわゆる保守（メンテナンス）を行っておくだけで、関連性のあるコンテンツデータの系統立てた出力ができるようにされる。
【００１４】
しかも、いわゆるオントロジ辞書を用いてコンテンツデータのメタデータやタイトル、本文を解析し、分類しているので、コンテンツデータのセマンティックな出力（コンテンツデータのメタデータなどの意味の関連付けに応じた出力）を行うことができるようにされる。また、他の通信端末装置からの他者属性情報の内の高レイティングのものと同じメタデータやワード（語）を有するコンテンツデータを抽出して出力することができるので、他者識別情報を自己の友人、知人から集めるようにすることによって、自己の交友関係の属性の傾向に応じたコンテンツデータの出力が可能となる。
【００１５】
また、請求項２に記載の発明の通信端末装置は、請求項１に記載の通信端末装置であって、
自機の使用者に関する属性情報である自己属性情報を記憶保持する自己属性記憶手段と、
前記自己属性記憶手段に記憶保持されている前記自己属性情報を、目的とする相手先の通信端末装置に送信する送信手段と
を備えることを特徴とする。
【００１６】
この請求項２に記載の通信端末装置によれば、自己属性記憶手段に記憶さされている自機の使用者に関する属性情報である自己属性情報を、送信手段を通じて通信の相手先に送信することができるようにされる。これにより、通信の相手先相互において、使用者に関する属性情報を交換することができるようにされ、通信の相手先相互において、他の通信端末装置からの他者属性情報の内の高レイティングのものと同じメタデータやワード（語）を有するコンテンツデータを抽出して出力することができるようにされる。
【００１７】
また、請求項３に記載の発明の通信端末装置は、請求項２に記載の通信端末装置であって、
前記抽出手段は、前記自己属性記憶手段に記憶されている前記自己属性情報と前記他者属性情報記憶手段に記憶保持されている前記他者属性手段との両方を考慮し、レイティングの高い使用者に関する属性情報と同じ情報を有するコンテンツデータを抽出することを特徴とする。
【００１８】
この請求項３に記載の発明の通信端末装置によれば、自機が保持する自己属性情報と他機から取得する他者属性情報との両方を考慮して、抽出手段によりコンテンツデータが抽出するようにされる。これにより、他者属性情報と自己属性情報との両方を合わせて、高レイティングの使用者に関する属性情報に基づいて、コンテンツデータを抽出することができるようにされる。
【００１９】
また、請求項４に記載の発明の通信端末装置は、請求項１に記載の通信端末装置であって、
各ワードに対して属性を付加することができると共に、ワード間に意味上のつながりを持つようにされた他端末の辞書情報を受信する辞書情報受信手段と、
前記辞書情報受信手段を通じて受信した前記他端末の辞書情報を記憶保持する他辞書記憶手段と
を備え、
前記分類手段は、前記他辞書記憶手段に記憶保持された前記他端末の辞書情報をも考慮して、前記コンテンツ記憶手段に記憶されている各コンテンツデータの前記メタデータや主にテキストデータであるコンテンツデータのタイトル部分や本文を解析して分類することを特徴とする。
【００２０】
この請求項４に記載の発明の通信端末装置によれば、他の通信端末装置からその通信端末装置で用いられている他端末の辞書情報の提供を受けて、これをも考慮して、分類手段により、コンテンツデータのメタデータやテキストデータであるコンテンツデータのタイトル、本文の解析、分類を行うことができるようにされる。
【００２１】
これにより、自機の辞書情報で足りない部分を他機から提供を受ける他機の辞書情報が補って、より詳細に関連性のあるコンテンツデータを系統立てて抽出し、出力することができるようにされる。
【００２２】
また、請求項５に記載の発明の通信端末装置は、請求項４に記載の発明の通信端末装置であって
前記辞書記憶手段に記憶保持されている自己の前記辞書情報を、目的とする相手先の通信端末装置に送信する辞書情報送信手段を備えることを特徴とする。
【００２３】
この請求項５に記載の発明の通信端末装置によれば、自機の辞書記憶手段に記憶されている辞書情報を辞書情報送信手段を通じて他機に提供することができるようにされる。これにより、通信の相手先相互において、自己の辞書情報の交換を行うことができるようにされ、通信の相手先の相互において、自機の辞書情報で足りない部分を他機から提供を受ける他機の辞書情報が補って、より詳細に関連性のあるコンテンツデータを系統立てて抽出し、出力することができるようにされる。
【発明の効果】
【００２４】
この出願の第１の発明によれば、関連性のあるコンテンツデータの系統立てた出力ができる。また、コンテンツデータのセマンティックな出力（コンテンツデータのメタデータなどの意味の関連付けに応じた出力）を行うことができる。また、自己の交友関係の属性の傾向（嗜好）に応じたコンテンツデータの出力ができる。
【００２５】
また、この出願の第２の発明によれば、コンテンツデータに付加されたメタデータなどを解析するための基準となる辞書情報やコンテンツデータのサマライズ情報などを他機からの辞書情報やコンテンツデータのサマライズなどの情報によって補うようにすることができる。これにより、自己の交友関係の属性の傾向（嗜好）に応じた辞書情報やコンテンツデータのサマライズ情報などの自動収集ができると共に、これらの情報をも考慮して、コンテンツデータの系統立てた出力ができる。
【発明を実施するための最良の形態】
【００２６】
以下、図を参照しながら、この発明による装置、方法の一実施の形態について説明する。以下に説明する実施の形態においては、この発明による装置、方法の一実施の形態を携帯電話端末に適用した場合を例にして説明する。
【００２７】
［携帯電話端末の構成例］
まず、この実施の形態の携帯電話端末１００の構成例について説明する。図１は、この実施の形態の携帯電話端末１００の構成例を説明するためのブロック図である。図１に示すように、内蔵アンテナ１０１、通信回路１０２、マイクロホン（以下、単にマイクという。）１０３、スピーカ１０４、メモリ部１０５、操作部１０６、表示部１０７、制御部１０８、制御ライン１０９、データライン１１０、無線ＬＡＮ通信アンテナ１１１、無線ＬＡＮ通信制御部１１２、赤外線送受部１１３、近距離用通信アンテナ１１４、電子マネー決済処理部１１５、ＧＰＳ用受信アンテナ１１６、ＧＰＳ部１１７、カメラ部１１８、メモリスロット１１９を備えたものである。
【００２８】
そして、図１に示すように、制御ライン１０９に対しては、通信回路１０２、メモリ部１０５、操作部１０６、表示部１０７、制御部１０８、無線ＬＡＮ通信制御部１１２、赤外線送受部１１３、電子マネー決済処理部１１５、ＧＰＳ部１１７、カメラ部１１８、メモリスロット１１９が接続され、データライン１１０に対しては、通信回路１０２、マイク１０３、スピーカ１０４、メモリ部１０５、表示部１０７、無線ＬＡＮ通信制御部１１２、電子マネー決済処理部１１５、ＧＰＳ部１１７、カメラ部１１８、メモリスロット１１９が接続されている。
【００２９】
ここで、内蔵アンテナ１０１は、携帯電話ネットワークを通じて通信を行うためのものである。すなわち、内蔵アンテナ１０１は、携帯電話ネットワークを通じて送信されてくる信号の受信と、自機から携帯電話ネットワークに送出する信号の送信とを行うものである。
【００３０】
内蔵アンテナ１０１が接続される通信回路１０２は、内蔵アンテナ１０１により受信された自機宛ての受信データの復調処理や復号処理を行ったり、内蔵アンテナ１０１を通じて自機から携帯電話ネットワークに送出する送信データの符号化処理や変調処理を行ったりするものである。
【００３１】
マイク１０３は、送話器としての機能を実現するものであり、音声を集音して電気信号に変換し、これをＡ／Ｄ（Analog/Digital）変換するものである。ここでデジタル化された音声信号（デジタル音声信号）は、後述もするように、データライン１１０を通じ通信回路１０２に供給され、符号化処理、変調処理が施されて、内蔵アンテナ１０１を通じ、携帯電話ネットワークに送出される。
【００３２】
スピーカ１０４は、受話器としての機能を実現するものであり、データライン１１０を通じて通信回路１０２からのデジタル音声信号の供給を受けて、これをＤ／Ａ（Digital/Analog）変換し、さらに増幅処理などを行って供給された音声信号に応じた音声を放音するものである。
【００３３】
また、メモリ部１０５は、ＲＯＭ（Read Only Memory）、ＲＡＭ（Random Access Memory）、ＥＥＰＲＯＭ（Electrically Erasable and Programmable ROM）やフラッシュメモリなどのいわゆる不揮発性メモリなどからなるものである。
【００３４】
ここで、ＲＯＭは、後述する制御部１０８を構成するＣＰＵ（Central Processing Unit）で実行される各種のプログラムコードや、図示しないが電子メールを編集するメール処理部を動作させるためのプログラムコードなど、各種のプログラムや、携帯電話端末の識別情報（識別ＩＤ）、各種の処理で必要になるデータなどの重要なデータを記憶保持する。
【００３５】
ＲＡＭは、各種の処理において、処理の途中結果を一時記憶するなど、主に作業領域として用いられるものである。また、不揮発性メモリは、携帯電話端末１００の電源が落とされても保持しておくべきデータを記憶保持する。この不揮発性メモリに記憶保持されるデータとしては、アドレス帳データ、電子メールデータ、後述するカメラ部１１８を通じて撮影した画像の画像データ、インターネットを通じてダウンロードしてきた画像データやテキストデータなどの種々のＷｅｂデータ、種々の設定パラメータ、辞書情報、追加プログラムなどが挙げられる。
【００３６】
このように、メモリ部１０５は、ＲＯＭ、ＲＡＭの他、画像データや電子メールデータ、Ｗｅｂデータなどのいわゆるコンテンツデータ（コンテンツ情報）、さらには、後述するオントロジ辞書などの辞書情報などを記憶保持する不揮発性メモリなどからなるものである。特に、不揮発性メモリは比較的に記憶容量の大きなものであり、多数のコンテンツデータ、辞書情報などを、例えば、フォルダを分けて記憶保持するなどのこともできるようにされているものである。
【００３７】
操作部１０６は、数字キー、いくつかの記号キー、いくつかのファンクションキー、回動操作と押下操作とが可能ないわゆるジョグダイヤルキーなどを備え、使用者からの操作入力を受け付けて、これを電気信号に変換し、制御ライン１０９を通じて制御部１０８に供給することができるものである。これにより、制御部１０８は、使用者からの指示に応じて各部を制御し、使用者の指示に応じた処理を行うことができるようにしている。
【００３８】
表示部１０７は、例えば、有機ＥＬ（Electro Luminescence）パネル、ＬＣＤ（Liquid Crystal Display）などの薄型表示素子と、そのコントロール回路とを備えたものであり、制御ライン１０９を通じて供給される種々の情報を表示するものである。例えば、内蔵アンテナ１０１及び通信回路１０２を通じて取り込んだ種々の画像データや電子メールデータ、あるいは、操作部１０６を通じて入力するようにしたテキストデータ、予め用意された操作ガイダンスや種々のメッセージ情報、カメラ部１１８を通じて取り込んだ画像データなどの情報を表示することができるものである。
【００３９】
制御部１０８は、上述もしたようにＣＰＵからなり、メモリ部１０５のＲＯＭに記憶されているプログラムを実行して、各部に供給する制御信号を形成し、これを制御ライン１０９を通じて各部に供給したり、また、各部からの情報の提供を受けて、これに応じて新たな制御信号を形成して供給したりするなど、この携帯電話端末１００の制御の主体となるものである。
【００４０】
また、制御部１０８は、詳しくは後述もするが、コンテンツデータに付加されたメタデータや、コンテンツデータが電子メールデータなどのテキストデータであるときには、タイトルや本文を、オントロジ辞書に基づいて解析し、高レイティングのメタデータやワード（語）を有するコンテンツデータほど上位に位置するように分類し、他の携帯電話端末から収集するようにした属性情報をも考慮して、関連性のあるコンテンツデータの系統立った出力を行うようにすることもできるものである。
【００４１】
また、制御ライン１０９は、主に制御信号や制御に伴う種々の情報を伝送するためのバスラインである。また、データライン１１０は、音声データ、画像データ、電子メールデータなど、送受の対象となる種々のデータ、あるいは、処理の対象となる種々のデータの伝送用のものである。
【００４２】
さらに、この実施の形態の携帯電話端末１００は、無線ＬＡＮ通信アンテナ１１１、無線ＬＡＮ通信制御部１１２を備え、アドホックモードで１対１に無線通信を行うようにしたり、また、近隣のアクセスポイントを通じて無線ＬＡＮに接続し、この無線ＬＡＮを介して通信を行ったりすることもできるようにしている。すなわち、この実施の形態の携帯電話端末１００は、公衆電話通信網やインターネットなどの広域ネットワークに接続する機能を有すると共に、無線ＬＡＮにも接続して通信を行うことができるものである。
【００４３】
また、赤外線送受部１１３は、赤外線発光用のＬＥＤ（Light Emitting Diode）や赤外線受光用のフォトディテクタを備え、可視光よりわずかに下の周波数帯の赤外線を使用して、信号の送受信を行えるようにしている。この赤外線受光部１１３を通じては、端末同士を近づけて赤外光による通信により、ごく近隣の携帯電話端末同士で、例えば、アドレス交換や画像データ交換などを行うことができるようにしている。ごく近隣の携帯電話端末同士で通信を行うので、セキュリティを保って通信を行うことができる。
【００４４】
近距離用通信アンテナ１１４および電子マネー決済処理部１１５は、店舗に設置されている電子マネー決済システムや自動販売機に併設されている電子マネー決済システムとの間で通信を行うことにより、この携帯電話端末１００の例えば電子マネー決済処理部１１５が備えるメモリに予め登録されている電子マネーを用いて代金の決済を行うことができるようにするものである。
【００４５】
ＧＰＳ用受信アンテナ１１６およびＧＰＳ部１１７は、複数の人口衛星から送信されてくるＧＰＳ信号を受信して、これら受信したＧＰＳ信号を解析することにより、自機の現在位置を特定するものである。すなわち、ＧＰＳ用受信アンテナ１１６は、複数の人口衛星からのＧＰＳ信号を受信して、これらをＧＰＳ部１１７に供給するものである。ＧＰＳ部１１７は、ＧＰＳ用受信アンテナ１１６を通じて受信したＧＰＳ信号を、同期を取って復調して解析することにより、自機の現在位置を特定するものである。
【００４６】
ＧＰＳ部１１７によって特定された自機の現在位置は、例えば、メモリ部１０５に記憶保持されている地図情報上に、現在位置を示して表示部１０７に表示することによって、道案内を行うようにしたり（ナビゲーション機能を実現したり）、後述するカメラ部１１８を通じて取得する画像データに対して、撮影位置を示すメタデータとして付加したりするなどのことに用いられるようにされる。
【００４７】
なお、この実施の形態の携帯電話端末１００は、図示しないが、現在年月日、現在曜日、現在時刻を提供する時計回路を備え、この時計回路から取得される現在日時を、後述するカメラ部１１８を通じて取得する画像データに対して、撮影日時を示すメタデータとして付加するなどのこともできるようにしている。
【００４８】
カメラ部１１８は、対物レンズ、シャッター機構、ＣＣＤ（Charge Coupled Device）やＣＭＯＳ（Complementary Metal Oxide Semiconductor）などの撮像素子を備え、被写体の画像を電気信号として取り込んで、これをデジタルデータに変換し、これをデータライン１１０を通じてメモリ部１０５の所定のメモリに供給して記録することができるものである。
【００４９】
また、メモリスロット１１９は、例えば、着脱可能に構成されたＩＣカードメモリなどの外部メモリ１２０を装着する部分である。これにより、メモリ部１０５のユーザーが利用可能なメモリの記憶容量が不足してきた場合に、外部メモリ１２０をユーザーメモリとして用いることができるようにしたり、あるいは、新たな機能を実現するためのプログラムが記録された外部メモリ１２０を装着することにより、携帯電話端末１００に新たな機能を追加したりするなどのことができるようにしている。
【００５０】
そして、この実施の形態の携帯電話端末１００が待ち受け状態にあるときに、アンテナ１０１、通信回路１０２を通じて自機宛ての呼び出し信号（着信信号）を受信したことを制御部１０８が検出すると、制御部１０８は、メモリ部１０５を制御して、メモリ部１０５に記憶保持されている着信音データを読み出して、これをデータラインを１１０を通じてスピーカ１０４に供給し、スピーカ１０４から着信音を放音するようにする。
【００５１】
あるいは、図示しないリンガを制御して、呼び出し音を放音することにより着信を通知したり、マナーモードにすることによって、図示しないバイブレータを制御して、携帯電話端末１００を振動させることにより着信を通知したりすることもできるようにしている。
【００５２】
そして、呼び出し音などにより、携帯電話端末１００に着信があることが通知された場合に、ユーザーが操作部１０６を通じてオフフック操作を行うと、これに応じて制御部１０８は応答信号を生成して、これを通信回路１０２、アンテナ１０１を通じて送信するとともに、通信回路１０２を制御して発呼先の通信端末との間に通信回線を接続し、通話をできるようにする。
【００５３】
また、自機から発呼する場合には、ユーザーは、操作部１０６を通じてオフフック操作をおこなって電話番号を入力したり、あるいは、登録済みのアドレス帳データの中から目的とする相手先の電話番号を選択したりすると、これに応じて制御部１０８が目的の相手先を読み出す呼び出し信号（発呼信号）を形成し、これを通信回路１０２、アンテナ１０１を通じて送出する。この呼び出し信号に応じて、目的とする相手先から応答信号が返信されてきた場合に、制御部１０８は、通信回路１０２を制御して通信回線を接続し、通話をできるようにする。
【００５４】
上述のようにして、自機への着信に応じて、あるいは、自機から発呼することにより、通信回線が接続されると、相手先からの音声信号は、内蔵アンテナ１０１を通じて通信回路１０２により受信され、ここで復調、復号された後、データライン１１０を通じてスピーカに供給さる。これにより、受信した音声信号に応じた音声がスピーカ１１０から放音される。
【００５５】
また、マイク１０３を通じて集音されて、電気信号に変換されるとともに、デジタル信号に変換された当該携帯電話端末１００のユーザーの音声に応じた音声信号は、通信回路１０２に供給され、ここで符号化、変調して、内蔵アンテナ１０１を通じて送出する。これにより自機からの音声信号が、相手先に送信される。このようにして、音声の送受を行うことにより、通話が行うようにされる。
【００５６】
また、操作部１０６を通じてメモリ部１０５に作成した電子メールデータを、制御部１０８が通信回路１０２を制御して、目的とする相手先のメールサーバに送信することができる。また、操作部１０６を通じて所定の操作を行うことにより、帯電話端末１００のユーザーのメールサーバに、通信回路１０２、アンテナ１０１を通じてアクセスして、自機宛ての電子メールを受信し、これをメモリ部１０５に取り込んで、これを制御部１０８の制御により、表示部１０７の表示画面に表示して確認することもできる。
【００５７】
もちろん、通信回路１０２、アンテナ１０１、及び、携帯電話網を通じてインターネットに接続し、インターネット上の目的とするサーバにアクセスして、必要な情報、例えば、音楽データ（音楽コンテンツ）や画像データ（画像コンテンツ）などをダウンロードしてきて利用するなどのこともできるようにしている。
【００５８】
なお、ダウンロードしてきた画像データについては、制御部１０８の制御により、メモリ部１０５に記憶保持すると共に、これを表示部１０７に表示して利用することができるようにされる。また、ダウンロードしてきた音楽コンテンツについては、制御部１０８の制御により、メモリ部１０５に記憶保持すると共に、これを図示しない音楽再生処理部、ヘッドホンなどを通じて再生して利用することができるようにされる。
【００５９】
また、この実施の形態の携帯電話端末１００は、上述もしたように、赤外線送受部１１３を備え、ごく近隣の他の携帯電話端末との間で赤外線通信を行って、アドレス交換や画像交換などを行うことができるようにしている。
【００６０】
また、この実施の形態の携帯電話端末１００は、上述もしたように、無線ＬＡＮ通信アンテナ１１１、無線ＬＡＮ通信制御部１１２を内蔵しており、アクセスポイントを通じて所定の無線ＬＡＮに接続して、他の通信機器との間で情報の送受を行ったり、所定の通信機器との間においてアドホックモードで通信回線を接続し、電子メールアドレスや電話番号などの交換など、必要な情報の送信や受信を行ったりすることができるようにしている。
【００６１】
そして、この実施の形態の携帯電話端末１００は、インターネットを通じて取得した画像データ（画像コンテンツ）や自機宛ての電子メールデータ、さらには、カメラ部１１８を通じて撮影して得た画像データなどの種々のコンテンツデータを、メモリ部１０６の不揮発性メモリに記憶保持して、いつでも読み出して利用することができるようにされる。
【００６２】
また、インターネットを通じてダウンロードしてきたコンテンツデータや、カメラ部１１８を通じて撮影して得た画像データであって、メモリ１０５の不揮発性メモリに記録されるコンテンツデータには、図示しない時計回路からの現在日時情報をメタデータとして自動的に付加したり、カメラ部１１８を通じて撮影して得た画像データに対して、ＧＰＳ部１１５を通じて取得した現在位置を示す情報をメタデータとして自動的に付加したりすることができるようにされる。
【００６３】
さらに、メモリ部１０５の不揮発性メモリに記憶保持されている目的とするコンテンツデータに対して、操作部１０６を通じてユーザーが入力する種々の情報を、制御部１０８の機能によりメタデータとして付加することができるようにしている。
【００６４】
そして、この実施の形態の携帯情報端末１００は、上述もしたように、赤外線送受部１１３を通じて、あるいは、無線ＬＡＮ通信アンテナ１１１および無線ＬＡＮ通信制御部１１２を通じて、アドレス交換を行うことができるものであるが、アドレス交換時において、各携帯電話端末に予め登録される使用者に関する属性情報の交換をも行うことができるようにしている。なお、取得した他機からの使用者に関する属性情報（他者属性情報）は、メモリ部１０５の不揮発性メモリに形成されるアドレス帳データファイルに、名前やメールドレスなどと共に記憶するようにされる。
【００６５】
そして、詳しくは後述するが、各ワード（語）に対して、属性を設定することができると共に、各ワード間に意味上のつながりを持つように記述されたいわゆるオントロジ辞書が、例えば、メモリ部１０５の不揮発性メモリに記憶保持されている。そして、上述もしたように、制御部１０８は、オントロジ辞書に基づいて、コンテンツデータに付加されたメタデータや、コンテンツデータが電子メールデータなどのテキストデータであるときには、タイトルや本文を解析し、高レイティングのメタデータやワード（語）を有するコンテンツデータほど上位に位置するように分類し、他の携帯電話端末から収集するようにした他機の使用者の属性情報（他者属性情報）やオントロジ辞書をも考慮して、関連性のあるコンテンツデータの系統立った出力を行うようにすることもできるものである。
【００６６】
このように、この実施の形態の携帯電話端末１００は、コンテンツ記憶手段としてのメモリ部１０５と、コンテンツデータにメタデータを付加するための付加手段として機能を実現する制御部１０８および操作部１０６などと、他者属性情報を受信する受信手段としての無線ＬＡＮ通信アンテナ１１１および無線ＬＡＮ通信制御部１１２、赤外線送受部１１３、あるいは、内蔵アンテナ１０１と通信回路１０２と、他者属性情報記憶手段としてのメモリ部１０５と、オントロジ辞書を記憶保持するメモリ部１０５と、コンテンツデータに付加されたメタデータやテキストデータであるコンテンツデータを、オントロジ辞書に基づいて解析し、分類する分類手段としての機能や、関連性のあるコンテンツデータを抽出する抽出手段としての機能を実現する制御部１０８と、コンテンツデータを出力する出力手段としての機能を主に実現する表示部１０７とを有するものである。
【００６７】
さらに、この実施の形態の携帯電話端末１００の無線ＬＡＮ通信アンテナ１１１および無線ＬＡＮ通信制御部１１２、赤外線送受部１１３、あるいは、内臓アンテナ１０１および通信回路１０２は、使用者に関する情報や自己のオントロジ辞書を交換するために、自機の使用者に関する属性情報（自己属性情報）を送信する送信手段としての機能や、自己の辞書情報を送信する辞書情報送信手段としての機能をも実現するものである。
【００６８】
［属性情報、メタデータ、オントロジ辞書について］
次に、この実施の形態の携帯電話端末１００において、関連性のあるコンテンツデータの系統立った表示（出力）を実現するために、必要となる情報について説明する。
【００６９】
［使用者アドレスデータ］
図２は、当該携帯電話端末１００の使用者（ユーザー）の使用者アドレスデータ（本人情報）について説明するための図である。この図２に示す使用者アドレスデータは、携帯電話端末１００の使用者自身によって、操作部１０６を通じて、予め登録され、携帯電話端末１００のメモリ部１０５の不揮発性メモリに記憶保持されるものである。もちろん、図２に示す使用者アドレスデータは、操作部１０６を通じて使用者が、修正したり、削除したりすることもできるものである。
【００７０】
図２に示すように、この実施の形態において、使用者アドレスデータは、この携帯電話端末１００の使用者の氏名、住所、メールアドレス１、メールアドレス２、電話番号１、電話番号２、属性情報からなるものである。ここで、氏名、住所は、この携帯電話端末１００の使用者の氏名、住所である。
【００７１】
メールアドレス１は、この携帯電話端末１００を通じてアクセス可能な携帯電話端末１００用のアドレス情報であり、メールアドレス２は、例えば、自宅や勤務先のパーソナルコンピュータを通じてアクセス可能なパーソナルコンピュータ用のアドレス情報である。また、電話番号１は、この携帯電話端末１００用の電話番号であり、電話番号２は、例えば、自宅や勤務先などの電話番号である。
【００７２】
そして、属性情報は、この携帯電話端末１００の使用者に関する属性情報であり、図２に示すように、当該携帯電話端末１００の使用者の「好きなもの」についての情報や、「欲しいもの」についての情報の他、「気になっているもの」についての情報、「嫌いなもの」についての情報、生年月日や血液型など、使用者に関する種々の情報からなるものである。
【００７３】
この図２に示す使用者アドレスデータは、例えば、メールアドレスの交換時において、自機から他機に対して送信することができるものである。なお、メールアドレス交換時においては、図２に示した使用者アドレスデータの全てを相手先に提供する必要はなく、携帯電話端末１００の使用者が送信可能な情報として設定したもののみを送信することができるようにしている。例えば、氏名とメールアドレス１と属性情報だけを提供し、住所や電話番号は提供しないように予め設定しておくこともできるようにされる。
【００７４】
なお、メールアドレスの交換は、上述もしたように、赤外線送受部１１３を通じて、赤外線通信により行うことも可能であるし、無線ＬＡＮ通信アンテナ１１１および無線ＬＡＮ通信制御部１１２を用い、無線ＬＡＮを介して行うことも可能である。また、アンテナ１０１および通信回路１０２を用い、携帯電話端末ネットワークを介して行うことも可能である。
【００７５】
［一般アドレスデータ（アドレス帳データ）］
図３は、当該携帯電話端末１００から電話をかけたり、電子メールを送信したりする相手先についての情報、いわゆるアドレス帳データについて説明するための図である。この実施の形態の携帯電話端末１００のメモリ部１０５の不揮発性メモリには、少なくとも数百人分のアドレスデータを記憶保持することができるようにしている。
【００７６】
図３に示すように、一般アドレスデータは、通信の相手先の氏名、住所、メールアドレス１、メールアドレス２、電話番号１、電話番号２、属性情報からなるものである。すなわち、通信の相手先毎の情報は、図２に示した使用者アドレスデータの場合と同じである。そして、氏名、住所は、通信の相手先の使用者の氏名、住所である。
【００７７】
メールアドレス１は、通信の相手先の携帯電話端末を通じてアクセス可能な携帯電話端末用のアドレス情報であり、メールアドレス２は、例えば、通信の相手先の自宅や勤務先のパーソナルコンピュータを通じてアクセス可能なパーソナルコンピュータ用のアドレス情報である。また、電話番号１は、通信の相手先の携帯電話端末用の電話番号であり、電話番号２は、通信の相手先の例えば自宅や勤務先などの電話番号である。
【００７８】
そして、属性情報は、通信の相手先の携帯電話端末の使用者に関する属性情報であり、図２を用いて説明した使用者アドレスデータの属性情報と同様に、「好きなもの」についての情報や、「欲しいもの」についての情報の他、「気になっているもの」についての情報、「嫌いなもの」についての情報、生年月日や血液型など、通信の相手先の携帯電話端末の使用者に関する種々の情報からなるものである。
【００７９】
そして、図３に示した一般アドレスデータの通信の相手先についての各情報は、上述もしたように、例えば、赤外線送受部１１３や、無線ＬＡＮ通信アンテナ１１１および無線ＬＡＮ通信制御部１１２や、内蔵アンテナ１０１および通信回路１０２などの通信手段を通じて行われるメールアドレスの交換時において、他機からの情報を受信して、図３に示した態様で、自機のメモリ部１０５の所定の不揮発性メモリに格納することができるものである。
【００８０】
また、図３に示した一般アドレスデータは、メールアドレスの交換時において他機から提供を受けて蓄積することができるものであるが、操作部１０６を通じて使用者自身が登録するようにしたり、修正したり、削除したりすることもできるようにされる。
【００８１】
なお、通信の相手先から供給されるアドレスデータもまた、図３に示した全ての情報が提供されるとは限らず、氏名とメールアドレスと属性情報だけが提供されるなどというように、限られた情報のみが提供される場合もある。このような場合、提供されなかったデータの格納領域は初期化（イニシャライズ）され、データが存在しないものとされる。
【００８２】
図２に示した使用者アドレスデータと図３に示した一般アドレスデータとの説明から分かるように、この実施の形態の携帯電話端末１００は、アドレスデータの交換時において、氏名やメールアドレスの他に、従来の携帯電話端末においては扱っていなかった使用者に関する種々の属性情報についても、相互に交換することができるようにしている。
【００８３】
すなわち、メールアドレス交換時においては、自己の氏名やメールアドレスの他に、自己に関する属性情報（使用者に関する属性情報）をも相手先に提供し、また、相手先からも氏名やメールアドレスの他に、使用者に関する属性情報をも提供を受けて、そのそれぞれを記憶保持し、利用することができるようにしている。
【００８４】
なお、受信した通信の相手先の属性情報を、図３に示したように、一般アドレスデータを構成する１つのデータとして記憶保持しておくことにより、自己の交友関係における「好きなもの」の傾向や「欲しいもの」の傾向など、属性情報を解析することにより、種々の情報を得ることが可能となる。
【００８５】
［コンテンツデータのメタデータ］
図４は、この実施の形態の携帯電話端末１００のメモリ部１０５の不揮発性メモリに記憶保持される種々のコンテンツデータに対して付加されるメタデータについて説明するための図である。
【００８６】
この実施の形態の携帯電話端末１００は、いくつかの経路を通じて種々のコンテンツデータを取得し、これをメモリ部１０５の不揮発性メモリに記憶保持して、必要に応じて読み出し利用することができるものである。
【００８７】
すなわち、この実施の形態の携帯電話端末１００は、通信回路１０２、アンテナ１０１を介して、インターネットに接続し、目的とするサーバ装置から画像データ、テキストデータ、音楽データなどの種々のコンテンツデータを取得し、これをメモリ部１０５の不揮発性メモリに格納することができる。
【００８８】
また、無線ＬＡＮアンテナ１１１、無線ＬＡＮ通信制御部１１２を通じて、無縁ＬＡＮ上のパーソナルコンピュータなどの機器から画像データ、テキストデータ、音楽データなどの種々のコンテンツデータを取得し、これをメモリ部１０５の不揮発性メモリに格納することができる。
【００８９】
また、カメラ部１１８を通じて被写体を撮影することにより、当該被写体の画像データを取り込んで、これをメモリ部１０５の不揮発性メモリに格納することができる。また、インターネットを通じて受信した自機宛ての電子メールや、操作部１０６を通じて入力した自機から送信する電子メールなどに付いても、メモリ部１０５の不揮発性メモリに格納しておくことができる。
【００９０】
また、図示しないが、この実施の形態の携帯電話端末は、例えば、デジタルインターフェイスの入出力端を備えており、当該デジタルインターフェイスを通じて外部機器からコンテンツデータの提供を受けて、これをメモリ部１０５の不揮発性メモリに記憶保持し、他のコンテンツデータと同様に、必要に応じて読み出して利用することもできるようにされる。
【００９１】
このように、この実施の形態の携帯電話端末１００は、インターネット、ＬＡＮ、カメラ部１１８、操作部１０６、デジタルインターフェイスなどを通じて取り込んだ種々のデータをコンテンツデータとして利用することができるようにしている。そして、この実施の形態の携帯電話端末１００においては、自機に取り込んで記憶保持している種々のコンテンツデータに対しては、図４に示すように、タイトル、取得日（撮影日）、キーワードなどの種々のメタデータを付加することができるようにしている。
【００９２】
ここで、タイトルは、そのコンテンツデータに対するタイトル（表題）であり、テキストデータである。取得日（撮影日）は、そのコンテンツデータを取得した日を示す年月日情報であり、コンテンツデータがカメラ部１１８を通じて取得データ画像データの場合には撮影した日を示す年月日情報である。なお、ここでは、取得日（撮影日）は年月日情報としたが、曜日情報や時刻情報などを含めるようにしてももちろんよい。
【００９３】
キーワードは、操作部１０６を通じてユーザーが任意に入力可能なテキストデータであり、例えば、「おいしいケーキ」、「おいしいお店」などの情報、バッグ、ジュエリーなどの「好きなもの」や「欲しいもの」としての商品の一般名称や商品名、目的する商品の製造元や販売元の会社名、目的とする商品を販売しているお店の店名、コンテンツデータの作成者や関係者の名前など、そのコンテンツデータについての種々の属性情報を複数設定するようにすることができるものである。
【００９４】
このようなメタデータは、コンテンツデータが格納されているファイルの予め決められた領域に付加するようにされたり、また、ファイル名などにより関連付けられて、メタデータだけをコンテンツデータとは別に管理するようにしたりすることができるようにされる。
【００９５】
また、図４に示したメタデータは一例であり、例えば、カメラ部１１８を通じて被写体を撮影して画像データを得た場合には、当該画像データに対しては、図示しない時計回路を通じて取得した撮影日時情報と共に、ＧＰＳ受信アンテナ１１６、ＧＰＳ部１１７を通じて取得した撮影位置を示す位置情報をメタデータとして付加するようにすることもできる。
【００９６】
［オントロジ辞書］
図５〜図７は、この実施の形態の携帯電話端末１００に搭載されたオントロジ辞書について説明するための図である。オントロジという文言は、本来、存在論を意味するものであるが、近年においては、人々が無意識のうちに頭の中に形成している知識体系を構造化する技術、他者との知識の共有、融合を容易にするための技術として注目を集めいている技術を指す文言として用いられている。
【００９７】
すなわち、オントロジは、簡単な定義意味情報を定義するための技術的な方法であり、オントロジを利用することによって、意味上のつながりを利用して、知識を共有できるようにするものである。そして、このオントロジを利用して形成される辞書がオントロジ辞書と呼ばれるものである。
【００９８】
図５は、オントロジ辞書を記述するために用いるＵＭＬ（Unified Modeling Language）のクラス図を説明するための図である。オントロジ辞書の場合には、各ワード（語）間に意味上のつながりを定義するために、ＵＭＬなどの記述方式が用いられる。図５に示すように、ＵＭＬの場合には、モデル要素として、クラス、関連（汎化）、関連（集約）の３つが用意されている。
【００９９】
クラスは、本来、同様のものの一まとまりを意味するが、この例の場合には、各ワード（語）に相当する。すなわち、各クラスのクラス名が、オントロジ辞書を構成するワード（語）に相当するものとなり、各クラス（各ワード）に対しては、属性名を付加することができるようにされる。
【０１００】
また、関連（汎化）は、クラス間の汎化／特化の関係を表すものであり、図５の中段に示したように、クラス間をいわゆる三角矢印で接続するように記述するものである。そして、図５の中段に示したように、クラスＢ側に三角形が位置するように、クラスＡとクラスＢとを関連（汎化）によって接続するようにした場合には、クラスＡはクラスＢの部分集合の関係にあることが示される。すなわち、図５の中段に示したように、クラスＡとクラスＢとを関連（汎化）によって接続した場合には、クラスＡはクラスＢに含まれるものであり、実装上、クラスＡはクラスＢの持つ特徴を承継して拡張するものとされる。
【０１０１】
また、関連（集約）は、クラス間の集約関係を表すものであり、図５の下段に示したように、クラス間をいわゆる四角矢印（ひし形矢印）で接続するように記述するものである。そして、図５の下段に示したように、クラスＢ側に四角形（ひし形）が位置するように、クラスＡとクラスＢとを関連（集約）によって接続するようにした場合には、クラスＡを集約したものがクラスＢであることが示される。
【０１０２】
図５を用いて説明したＵＭＬを用いて記述したオントロジ辞書の一例を図６に示す。図６は、ＵＭＬを用いて記述するようにした「食べ物」についてのオントロジ辞書の一部を示すものである。図６に示すように、この例のオントロジ辞書は、「ティラミス」、「クリームチーズケーキ」、「チーズケーキ」、「デザート」、「メインディッシュ」、「料理」、「食べ物」という各ワード（語）をクラスとしたものである。
【０１０３】
そして、図６に示したように、各クラスには「＋テイスト（味）」が示すように、例えば、「おいしい」、「まずい」といった味についての属性を付加することができると共に、必要に応じて「＋タイプ」が示すように、タイプについての属性をも付加することもできるようにされている。
【０１０４】
そして、そして、図６に示したように、「ティラミス（クラスＣ１１）」と「クリームチーズケーキ（クラスＣ１２）」とは、「チーズケーキ（クラスＣ２１）」との間に汎化関係（ｉｓ−ａ関係）があり、「チーズケーキ（クラスＣ２１）」は、「デザート（クラスＣ３１）」との間に汎化関係（ｉｓ−ａ関係）があり、「料理（クラスＣ４１）」は、「食べ物（クラスＣ５１）」との間に汎化関係（ｉｓ−ａ関係）があり、「デザート（クラスＣ３１）」と「メインディッシュ（クラスＣ３２）」とは、「料理（クラスＣ４１）」との間に集約関係（ｐａｒｔ  ｏｆ関係）があることが示されている。
【０１０５】
換言すれば、図６に示したオントロジ辞書においては、「ティラミス（クラスＣ１１）」と「クリームチーズケーキ（クラスＣ１２）」とは、「チーズケーキ（クラスＣ２１）」に属し、「チーズケーキ（クラスＣ２１）」は、「デザート（クラスＣ３１）」に属し、「料理（クラスＣ４１）」は、「食べ物（クラスＣ５１）」に属し、「デザート（クラスＣ３１）」と「メインディッシュ（クラスＣ３２）」とは、「料理（クラスＣ４１）」に集約されるという一連の関係あることが明確に示される。
【０１０６】
図７は、図６に示した「食べ物」のオントロジ辞書に基づいて、「おいしい」という属性（属性値）が付加された「食べ物」に関するワード（語）の階層関係を示す図である。図６に示した「食べ物」に関するオントロジ辞書において、「食べ物」、「料理」、「デザート」、「メインディッシュ」、「クリームチーズケーキ」の５つの各ワードには、「おいしい」という属性が付加されているものとする。
【０１０７】
そして、図６に示したオントロジ辞書の各ワードの階層関係を示すと、図７に示すように、第１階層が「食べ物」、第２階層が「料理」、第３階層が「デザート」と「メインディッシュ」、第４階層が「チーズケーキ」、第５階層が「ティラミス」と「クリームチーズケーキ」となる。
【０１０８】
そして、図６、図７を用いて説明したように、オントロジ辞書は単にワード（語）を蓄積したものではなく、各ワード間には関連付けがなされている。このため、図６、図７を用いて説明したオントロジ辞書を、自機と通信の相手先との双方で持つことにより、「食べ物」についての情報交換を円滑に行うようにすることができ、知識や情報の共有・融合を容易にすることができる。
【０１０９】
このように、この実施の形態の携帯電話端末１００は、図２を用いて説明した使用者アドレスデータ、図３を用いて説明した一般アドレスデータ、図５〜図７を用いて説明したオントロジ辞書を有すると共に、図４を用いて説明したように、自機に記憶保持している種々のコンテンツデータに対してメタデータを付加することができるようにしている。
【０１１０】
そして、この実施の形態の携帯電話端末１００の場合、例えば、アドレス交換時において、氏名や電子メールアドレスの他に、使用者アドレスデータとして登録された属性情報についても交換することができるようにされる。すなわち、自機から氏名、電子メールアドレス、属性情報を送信して相手先に提供することができると共に、この実施の形態の携帯電話端末１００と同様の構成を有する相手先の通信端末から送信されてくる氏名、電子メールアドレス、属性情報を受信し、これを図３に示した一般アドレスデータに追加記録することができるようにされる。
【０１１１】
したがって、この実施の形態の携帯電話端末１００は、アドレス交換を行うたびに、相手先の氏名や電子メールアドレスに加えて、その相手先の通信端末の使用者に関する情報である属性情報の提供を受けて、図３に示したように、氏名、電子メールアドレスなどの他に属性情報をも収集して記憶保持することができるようにしている。
【０１１２】
そして、この実施の形態の携帯電話端末１００は、自機に記憶保持されているコンテンツデータに付加されているメタデータを、あるいは、コンテンツデータが電子メールデータなどのテキストデータである場合には、そのタイトルやテキストデータ本文についても、自機に搭載されているオントロジ辞書を用いて解析を行って、出現したワード（語）に基づいてコンテンツデータを分類する。
【０１１３】
このようにして分類したコンテンツデータの中から、図３を用いて説明した一般アドレスデータに含まれる属性情報のうち、高レイティングの属性情報と同じメタデータやワードを有するコンテンツデータを検索して抽出し、収集した属性情報に応じて、関連性のあるコンテンツデータの系統立った出力を実現することができるようにしている。
【０１１４】
［コンテンツデータを系統立てて出力する場合の具体例について］
図８は、携帯電話端末１００Ａと携帯電話端末１００Ｂとの間でアドレスデータの交換を行うことによって属性情報の交換をも行い、携帯電話端末１００Ａ、携帯電話端末１００Ｂとのそれぞれにおいて、収集した属性情報や、コンテンツデータに付加されているメタデータなどの情報や、オントロジ辞書を用いることによって、使用者（ユーザー）の手を煩わせることなく、自機に蓄積されているコンテンツデータを系統立てて出力する場合の処理の一例を説明するための処理フローである。
【０１１５】
ここで、携帯電話端末１００Ａ、携帯電話端末１００Ｂのそれぞれは、図１に示した構成を有し、メモリ１０５の不揮発性メモリには、図２に示した使用者アドレスデータ、図３に示した一般アドレスデータ、図４に示したようなメタデータが付加するようにされたコンテンツデータ、図５〜図７を用いて説明したオントロジ辞書が記憶保持されているものである。
【０１１６】
そして、携帯電話端末１００Ａ、携帯電話端末１００Ｂのそれぞれは、図１を用いて説明したように、内蔵アンテナ１０１及び通信回路１０２を通じて広域ネットワークに接続する系と、無線ＬＡＮ通信アンテナ１１１及び無線ＬＡＮ通信制御部１１２を通じて無線ＬＡＮに接続する系と、赤外線送受部１１３を通じて赤外線により１対１で通信する系とを備えている。この図８に示す例においては、無線ＬＡＮ通信アンテナ１１１及び無線ＬＡＮ通信制御部１１２を通じて、アドホックモードで通信することにより、アドレス交換を行う場合を例にして説明することとする。
【０１１７】
図８に示すように、携帯電話端末１００Ａは、オントロジ辞書ＡＪ、使用者アドレスデータＡ１、一般アドレスデータＡ３を備えている。携帯電話端末１００Ｂは、オントロジ辞書ＢＪ、使用者アドレスデータＢ１、一般アドレスデータＢ３を備えている。オントロジ辞書ＡＪ、ＢＪは、図５〜図７を用いて説明したように構成されるものである。
【０１１８】
また、使用者アドレスデータＡ１、Ｂ１は、図２を用いて説明したよう形成されるものである。また、一般アドレスデータは、図３を用いて説明したように、氏名、住所、メールアドレス１、２、電話番号１、２、属性情報からなるものである。しかし、ここでは、説明を簡単にするため、一般アドレスデータＡ３、Ｂ３のそれぞれは、通信の相手先となる複数の通信先についての少なくとも氏名、メールアドレス、属性情報を有するものとして説明する。
【０１１９】
そして、図８に示す例の場合には、携帯電話端末１００Ａの使用者がアドレス交換を行うようにする所定の操作を行うことにより、携帯電話端末１００Ａから携帯電話端末１００Ｂに対して、アドホックモードで１対１に通信を行うようにする要求を送信し、これに携帯電話端末１００Ｂから応答が返信されてきた場合に、通信回線が接続され、１対１のアドホックモードでの通信（アドホック通信）が開始される（ステップＳ１）。
【０１２０】
具体的には、アドレス交換を行うようにする所定の操作を受け付けると、携帯電話端末１００Ａの制御部１０８は、無線ＬＡＮ通信制御部１１２を制御して、当該無線ＬＡＮ通信制御部１１２、無線ＬＡＮ用通信アンテナ１１１を通じて、アドホックモードで１対１に通信を行うようにする要求を送信する。
【０１２１】
これを受信した携帯電話端末１００Ｂにおいては、当該携帯電話端末１００Ｂの使用者が応答する所定の操作を行うことにより、携帯電話端末１００Ｂの制御部１０８が、無線ＬＡＮ通信制御部１１２を制御して、当該無線ＬＡＮ通信制御部１１２、無線ＬＡＮ用通信アンテナ１１１を通じて、応答を返信することにより、携帯電話端末１００Ａと携帯電話端末１００Ｂとの間に無線ＬＡＮ上において通信回線が接続され、アドホックモードで１対１に通信を行うことができるようにされる。
【０１２２】
そして、携帯電話端末１００Ａは、自機の使用者アドレスデータＡ１に基づいて、交換データＡ２を形成して、これを通信の相手先である携帯電話端末１００Ｂに送信する（ステップＳ２）。なお、交換データＡ２は、図２を用いて説明した使用者アドレスデータから形成されるものであるが、交換するデータを予め制限することもできるようにされる。
【０１２３】
すなわち、使用者アドレスデータを構成する各データについては、セキュリティレベルの設定が可能であり、提供可能なデータと提供しないデータとを使用者が事前に設定しておくことができるようにしている。特に、属性情報については、提供可能なものとそうでないものとを細かく指定することができるようにしている。図８に示す例において、携帯電話端末１００Ａから携帯電話端末１００Ｂに送信される交換データＡ２は、氏名、メールアドレス、属性情報からなるものである。
【０１２４】
そして、携帯電話端末１００Ａからの交換データＡ２の提供を受ける携帯電話端末１００Ｂにおいては、携帯電話端末１００Ａからの交換データＡ２を受信し、これを自機の一般アドレスデータＢ３に追加する。図８において、携帯電話端末１００Ｂの一般アドレスデータＢ３の最後尾の斜線で示した部分のデータが、携帯電話端末１００Ａからの交換データＡ２に応じた情報である。
【０１２５】
これに対応し、携帯電話端末１００Ｂは、自機の使用者アドレスデータＢ１に基づいて、交換データＢ２を形成して、これを通信の相手先である携帯電話端末１００Ａに送信する（ステップＳ３）。携帯電話端末１００Ｂにおいても、交換データＢ２は、図２を用いて説明した使用者アドレスデータから形成されるものであるが、携帯電話端末１００Ａにおいて、使用者アドレスデータから交換データＡ２を形成した場合と同様に、交換するデータを予め制限することもできるようにされる。
【０１２６】
すなわち、図８に示す例において、携帯電話端末１００Ｂから携帯電話端末１００Ａに送信される交換データＢ２は、氏名、メールアドレス、属性情報からなるものである。そして、携帯電話端末１００Ｂからの交換データＢ２の提供を受ける携帯電話端末１００Ａにおいては、携帯電話端末１００Ｂからの交換データＢ２を受信し、これを自機の一般アドレスデータＡ３に追加する。図８において、携帯電話端末１００Ａの一般アドレスデータＡ３の最後尾の斜線で示した部分のデータが、携帯電話端末１００Ｂからの交換データＢ２に応じた情報である。
【０１２７】
このようにして、携帯電話端末１００Ａと携帯電話端末１００Ｂとが相互にアドレス交換を行った後に、接続した無線ＬＡＮ上の通信回線を解放し、１対１のアドホックモードでの通信（アドホック通信）が終了するようにされる（ステップＳ４）。
【０１２８】
この後、携帯電話端末１００Ａにおいては、オントロジ辞書と一般アドレスデータの属性情報とに基づいて、記憶保持しているコンテンツデータについての属性判定処理を行う（ステップＴ１）。具体的には、携帯電話端末１００Ａの制御部１０８は、自機のオントロジ辞書辞書ＡＪに基づいて、自機に保持されている画像コンテンツデータのメタデータや電子メールのタイトルや本文中に含まれるキーワードの構文解析と分類とを実施し、自機に登録されている一般アドレスデータの中で、高レイティングの属性情報が付加されている、あるいは、含められているコンテンツデータを検索して抽出する。
【０１２９】
そして、携帯電話端末１００Ａの制御部１０８は、ステップＴ１の結果に基づいて、高レイティングの属性情報が付加されている、あるいは、含められているコンテンツデータを自動選択すると共に、オントロジ辞書に基づいて、系統立ててコンテンツデータを出力する（ステップＴ２）。
【０１３０】
このステップＴ２においては、例えば、携帯電話端末１００Ａのメモリ部１０５の不揮発性メモリには、図８においてコンテンツデータ群Ａ４に示すように、コンテンツデータとして画像ｃ、画像ｄ、画像ｅ、画像ｆ、メールｇ、メールｈ、メールｉが記憶保持されており、この内、画像ｅ、画像ｆ、メールｇ、メールｈ、メールｉが、属性情報として情報ａが付加されていたり、含まれていたりする場合には、これら画像ｅ、画像ｆ、メールｇ、メールｈ、メールｉが、出力対象のコンテンツデータとして選択され、オントロジ辞書に基づいて、系統立てて出力するようにされる。この例の携帯電話端末１００Ａにおいては、表示部１０７に表示するようにされる。
【０１３１】
一方、携帯電話端末１００Ｂにおいても、携帯電話端末１００ＡにおけるステップＴ１の場合と同様にして、オントロジ辞書と一般アドレスデータの属性情報とに基づいて、記憶保持しているコンテンツデータについての属性判定処理を行う（ステップＴ３）。
【０１３２】
そして、携帯電話端末１００Ｂの制御部１０８は、ステップＴ３の結果に基づいて、高レイティングの属性情報が付加されている、あるいは、含められているコンテンツデータを自動選択すると共に、オントロジ辞書に基づいて、系統立ててコンテンツデータを出力する（ステップＴ４）。
【０１３３】
このステップＴ４においては、例えば、携帯電話端末１００Ｂのメモリ部１０５の不揮発性メモリには、図８においてコンテンツデータ群Ｂ４に示すように、コンテンツデータとして画像ｃ、画像ｄ、画像ｌ、画像ｍ、メールｎ、メールｏ、メールｐが記憶保持されており、この内、画像ｌ、画像ｍ、メールｎ、メールｏ、メールｐが、属性情報として情報ｂが付加されていたり、含まれていたりする場合には、これら画像ｌ、画像ｍ、メールｎ、メールｏ、メールｐが、出力対象のコンテンツデータとして選択され、オントロジ辞書に基づいて、系統立てて出力するようにされる。この例の携帯電話端末１００Ｂにおいては、表示部１０７に表示するようにされる。
【０１３４】
このように、この例の携帯電話端末１００Ａ、携帯電話端末１００Ｂのそれぞれにおいては、使用者がコンテンツデータを予め分類するなどの面倒な手間をかけることなく、通信の相手先から取得した種々の属性情報と、オントロジ辞書と、コンテンツデータに付加されたメタデータやコンテンツデータを構成するテキストデータなどのコンテンツに関する情報に基づいて、コンテンツデータを分類、整理し、出力するべきコンテンツデータを特定して、これを系統立てて出力することができるようにしている。
【０１３５】
なお、上述もしたように、使用者アドレスデータを構成する各データ、特に、属性情報については、セキュリティレベルの設定も可能であり、辞書以外のデータを交換する場合において、予め設定されたセキュリティレベルに合わせて、データの交換可否を制御することが可能である。また、オントロジ辞書を備えていない携帯電話端末に対しては、自機の保持するオントロジ辞書を提供するようにしたり、また、携帯電話端末間でオントロジ辞書の交換を行うようにしたりすることも可能である。
【０１３６】
また、上述した実施の形態においては、アドホックモードで通信を行うものとして説明したが、いわゆるアドホック通信以外に、ＷＬＡＮなどのネットワークを利用する場合においても、交換データについては、例えば、データ毎に予め設定されるセキュリティレベルに応じて交換するようにすることが可能である。
【０１３７】
また、図８のステップＴ１の説明においては、自機のオントロジ辞書辞書に基づいて、自機に保持されている画像コンテンツデータのメタデータや電子メールのタイトルや本文中に含まれるキーワードの構文解析と分類とを実施し、自機に登録されている一般アドレスデータの中で、高レイティングの属性情報が付加されている、あるいは、含められているコンテンツデータを検索して抽出するものとして説明したが、これに限るものではない。
【０１３８】
一般アドレスデータにおける高レイティングの属性情報を有するコンテンツデータを抽出する他にも、分類されたコンテンツデータについて、一般アドレスデータの属性情報とは無関係に、高レイティングの属性情報を有するコンテンツデータを検索して抽出するようにしてもよい。
【０１３９】
また、上述した例の場合には、一般アドレスデータ中の高レイティングの属性情報を含むコンテンツデータを抽出したり、一般アドレスデータとは無関係に高レイティングの属性情報を有するコンテンツデータを抽出したりする場合を説明したが、これに限るものではない。例えば、使用者が指定した属性情報を含むコンテンツデータを抽出し、これをオントロジ辞書に基づいて系統立てて出力するようにすることもできる。
【０１４０】
また、オントロジ辞書に基づいたコンテンツデータの系統立てた出力は、ｉｓ−ａ関係（汎化／特化の関係）、ｐａｒｔ  ｏｆ関係（集約の関係）に従った階層出力（階層表示）を行うことも可能である。
【０１４１】
［コンテンツデータの系統立てた出力の具体例について］
次に、図８を用いて説明した携帯電話端末１００Ａの場合のコンテンツデータの系統立てた出力（表示）の具体例について、図９〜図１３を用いてより具体的に説明する。
【０１４２】
図９は、携帯電話端末１００Ａの一般アドレスデータに格納されている属性情報について説明するための図である。図８において、一般アドレスデータＡ３に示したように、携帯電話端末１００Ａが記憶保持している一般アドレスデータは、Ｃさん、Ｄさん、Ｂさんの３人ついてのものである。Ｂさんについてのアドレスデータは、ステップＳ３の処理によりＢさん所有の携帯電話端末１００Ｂから提供され最新に収集したものである。
【０１４３】
なお、本来、一般アドレスデータを蓄積するいわゆるアドレス帳は、通信を行う可能性のある相手先の情報を数百人単位で記憶保持し、管理することができるものであるが、ここでは説明を簡単にするために、Ｃさん、Ｄさん、Ｂさんの３人のデータが記憶保持されている場合としている。
【０１４４】
そして、図８の一般アドレスデータＡ３の場合には、Ｃさんの属性情報は「ｂ」であるが、Ｄさん、Ｂさんの属性情報はいずれも「ａ」である。なお、属性情報は１つに限るものではなく複数存在する場合ももちろんある。ここで、より具体的に、属性情報「ｂ」、「ａ」は、それぞれ「好きなもの」を示す情報であり、属性情報「ａ」は、「クリームチーズケーキ」という属性情報であり、属性情報「ｂ」は、「ラーメン」という属性情報であるとする。
【０１４５】
この状態を図にまとめると、図９Ａに示すようにまとめることができる。そして、この例の場合、図９Ａからも明らかなように、Ｃさん以外の、Ｄさん、Ｂさんの属性情報がいずれも「クリームチーズケーキ」であるので、高レイティングの属性情報（この例では出現頻度の高い属性情報）は、図９Ｂに示すように、「クリームチーズケーキ」ということになる。
【０１４６】
また、図８において、携帯電話端末１００Ａの使用者であるＡさんの使用者アドレスデータＡ１から形成される交換データＡ２を見るとわかるように、携帯電話端末１００Ａの使用者Ａさんの属性情報もまた「ａ」、すなわち「クリームチーズケーキ」である。このため、以下に説明するように、携帯電話端末１００Ａのメモリ部１０５の不揮発性メモリに蓄積されているコンテンツデータには、「クリームチーズケーキ」という属性情報が付加されたものが存在するものとする。
【０１４７】
図１０は、図８に示した携帯電話端末１００Ａのメモリ部１０５の不揮発性メモリに蓄積されているコンテンツデータについて説明するための図である。図１０に示すように、携帯電話端末１００Ａの不揮発性メモリには、複数の画像コンテンツデータＰＴ１、ＰＴ２、ＰＴ３、…と、複数の電子メールデータＭＬ１、ＭＬ２、ＭＬ３、…とが蓄積されている。
【０１４８】
ここで、画像コンテンツデータＰＴ１、ＰＴ２、ＰＴ３、…のそれぞれは、上述もしたように、インターネットや無線ＬＡＮを通じて取得したものや、カメラ部１１８を通じて撮影して得たものや、赤外線送受部１１３を通じて取得したものなどである。また、電子メールデータＭＬ１、ＭＬ２、ＭＬ３、…のそれぞれは、上述もしたように、インターネットを通じて受信した自機宛てのものである。
【０１４９】
そして、図１０において、画像コンテンツデータＰＴ１は、セーター（衣服）についてのものであり、「秋・冬」、「セーター」という２つのメタデータが付加されているものである。また、画像コンテンツデータＰＴ１、ＰＴ２、ＰＴ３のそれぞれは、クリームチーズケーキについてのものであり、「おいしい」、「クリームチーズケーキ」という２つのメタデータが付加されているものである。
【０１５０】
また、画像コンテンツデータＰＴ５は、指輪についてのものであり、「ダイヤ」、「リング」という２つのメタデータが付加されているものである。また、画像コンテンツデータＰＴ６は、ペンダントについてのものであり、「ダイヤ」、「ペンダント」という２つのメタデータが付加されているものである。
【０１５１】
なお、ここでは、各画像コンテンツデータに対して、それぞれ２つのメタデータが付加されているものとして説明したが、これに限るものではない。１つ以上の任意の数のメタデータを付加することができる。また、その内容も、上記のようなキーワードだけでなく、取得日時、取得位置、ＵＲＬ（Uniform Resource Locators）など、種々の情報をメタデータとして付加することができるし、さらに、数百字程度の説明文（テキストデータ）などの情報を付加することもできるようにされている。
【０１５２】
また、図１０において、電子メールデータＭＬ１は、クリームチーズケーキに関する情報のものであり、本文に「クリームチーズケーキ」というワード（語）を含むものである。また、電子メールデータＭＬ２は、新作セーターを購入したことを知らせるものであり、電子メールデータＭＬ３は、メールアドレスを変更したことを知らせるものであり、また、電子メールデータＭＬ４は、予定変更を知らせるものである。すなわち、電子メールデータＭＬ１が、一般アドレスデータにおける高レイティングの属性情報である「クリームチーズケーキ」というワード（語）を含むものである。
【０１５３】
そして、携帯電話端末１００Ａの制御部１０８は、例えば、図７に示したように形成されているオントロジ辞書に基づいて、コンテンツデータに付加されているメタデータやテキストデータである電子メールデータのタイトルや本文について、構文解析し、分類する。より具体的には、制御部１０８は、メタデータや電子メールデータのタイトルや本分について、構文解析を行ってワード（語）を特定し、図７に示したように形成されているオントロジ辞書を構成するワード（語）か否かを判別しながら、高レイティングのメタデータやワード（語）を有するコンテンツデータほど上位に位置するように分類する。
【０１５４】
この後、制御部１０８は、当該分類結果に基づいて、図９Ｂに示したように、一般アドレスデータの属性情報において、高レイティングの属性情報をメタデータやワード（語）として含むコンテンツデータを抽出し、これをオントロジ辞書にしたがって出力（表示）するようにする。
【０１５５】
図１１は、一般アドレスデータ中の高レイティングの属性情報をメタデータやワード（語）として含むコンテンツデータを優先して表示する場合の例を説明するための図である。すなわち、図９Ｂに示したように、携帯電話端末１００Ａの一般アドレスデータの属性情報の内、高レイティングのものは、「クリームチーズケーキ」であるので、図１０に示したコンテンツデータの内、構文解析と分類処理、及び、抽出処理が行われることにより、画像コンテンツデータＰＴ２、ＰＴ３、ＰＴ４と、電子メールデータＭＬ１とが抽出され、これらが優先的に、図７に示したオントロジ辞書に基づいて、「クリームチーズケーキ」というワード（語）が最終的に集約される「食べ物」というフォルダＦＬ１の構成要素に割り当てられる。
【０１５６】
これにより、図１１に示すように、「食べ物」のフォルダＦＬ１を開く（オープンする）と、「食べ物」のフォルダＦＬ１の構成要素として割り当てられた、画像コンテンツデータＰＴ２、ＰＴ３、ＰＴ４、電子メールデータＭＬ１が選択可能なように表示される。この図１１に示す状態にあるときに、画像コンテンツデータＰＴ２、ＰＴ３、ＰＴ４のいずれかを選択すれば、例えば、その拡大画像や詳細情報を表示部１０７に表示するなどのことができるようにされる。また、電子メールデータＭＬ１を選択した場合には、その本文データを表示部１０７に表示するなどのことができるようにされる。
【０１５７】
このように、携帯電話端末１００Ａの使用者は、自機に蓄積している画像コンテンツデータに対しては、解析、分類が可能なようにメタデータを付すようにしておくだけで、画像コンテンツデータや電子メールデータなどのテキストデータについても、オントロジ辞書に従った構文解析と分類処理を行うと共に、アドレス交換時において収集した属性情報をも考慮して、一般アドレスデータとして収集した属性情報の内、高レイティングの属性情報をメタデータやワード（語）として有するコンテンツデータを抽出し、これをオントロジ辞書に基づいて優先して表示することができるようにされる。
【０１５８】
この例の場合には、最終的に抽出されたコンテンツデータを最上位の「食べ物」のフォルダに格納するようにしている。このため、図１１を用いて説明したように、例えば「クリームチーズケーキ」というフォルダを開かなくても、「食べ物」というフォルダを開いただけで、一般アドレスデータの高レイティングの属性情報に応じて抽出された「クリームチーズケーキ」というメタデータやワード（語）を有するコンテンツデータを系統立てて出力することができるようにされるので、それらの情報を他のコンテンツデータに優先して利用することができるようにされる。
【０１５９】
また、アドレス交換時に収集するようにした一般アドレスデータの属性情報の内の高レイティングの属性情報に対応するメタデータやワード（語）を有するコンテンツデータを優先して抽出するようにしているので、自己の交友関係に従った属性情報に応じて、系統立ててコンテンツデータを出力することができる。これにより、使用者が必要としているであろうコンテンツデータを優先的に提供することができるようにされる。
【０１６０】
また、図７に示したオントロジ辞書に基づいて階層表示を行うこともできる。図１２、図１３は、オントロジ辞書にしたがった階層表示を行うようにする場合の例を説明するための図である。すなわち、図７に示したオントロジ辞書に従えば、図１２に示すように、食べ物のフォルダＦＬ１、料理のフォルダＦＬ２、メインディッシュのフォルダＦＬ３、デザートのフォルダＦＬ４、チーズケーキのフォルダＦＬ５、クリームチーズケーキのフォルダＦＬ６、ティラミスのフォルダＦＬ７を形成することができるようにされる。
【０１６１】
そして、この例の場合においても、図７に示したように形成されているオントロジ辞書に基づいて、コンテンツデータに付加されているメタデータやテキストデータである電子メールデータのタイトルや本文について、構文解析し、分類する。この後、当該分類結果に基づいて、一般アドレスデータの属性情報において、高レイティングの属性情報をメタデータやワード（語）として含むコンテンツデータを抽出し、これをオントロジ辞書にしたがって、目的とするフォルダに割り当てる。
【０１６２】
具体的には、携帯電話端末１００Ａの一般アドレスデータについての属性情報の状態が図９に示した状態にあり、コンテンツデータが図１０に示す状態にあるときには、画像コンテンツデータＰＴ２、ＰＴ３、ＰＴ４、電子メールデータＭＬ１が、高レイティングの属性情報である「クリームチーズケーキ」をメタデータやワード（語）として有するものであるので、これらが抽出されて、この例の場合には、クリームチーズケーキのフォルダＦＬ６に割り当てられるようにされる。
【０１６３】
そして、図１２Ａに示すように、食べ物のフォルダＦＬ１を開ければ、料理のフォルダＦＬ２にアクセスでき、料理のフォルダＦＬ２を開ければ、メインディッシュのフォルダＦＬ３と、デザートのフォルダＦＬ４とにアクセスできる。そして、デザートのフォルダＦＬ４を開くとチーズケーキのフォルダＦＬ５にアクセスでき、チーズケーキのフォルダＦＬ５を開くとクリームチーズケーキのフォルダＦＬ６と、ティラミスのフォルダＦＬ７とにアクセスすることができる。
【０１６４】
このときに、クリームチーズケーキのフォルダＦＬ６を開くと、図１３に示すように、上述したように抽出され、クリームチーズケーキのフォルダＦＬ６に割り当てられた画像コンテンツデータＰＴ２、ＰＴ３、ＰＴ４、電子メールデータＭＬ１に対してアクセスすることができるようにされる。
【０１６５】
この場合には、図７に示したオントロジ辞書に基づいた階層表示を行うことができるので、オントロジ辞書にしたがって、フォルダの階層を辿っていくことにより、上述したように、オントロジ辞書に基づいて解析、分類され、一般アドレスデータの高レイティングの属性情報をメタデータやワード（語）として含むものとして抽出されたコンテンツデータを利用することができるようにされる。
【０１６６】
なお、ここでは、説明を簡単にするため、一般アドレスデータの属性情報を用いるようにしたが、これに限るものではない。一般アドレスデータの属性情報だけでなく、使用者アドレスデータの属性情報をも含めるようにしてももちろんよい。
【０１６７】
［オントロジ辞書の他の例とコンテンツデータの表示態様について］
次に、オントロジ辞書の他の例について説明するとともに、当該オントロジ辞書を用いたコンテンツデータの表示態様について説明する。
【０１６８】
図１４、図１５は、オントロジ辞書の他の例を説明するための図である。図１４、図１５に示すように、この例のオントロジ辞書は、第１階層〜第８階層までの８階層からなり、図１４には、第１階層〜第５階層までを、また、図１５には、第５階層〜第８階層までを示している。すなわち、図１４と図１５とで、第５階層を重複して記載している。
【０１６９】
そして、図１４に示すように、この例のオントロジ辞書は、第１階層として、「社会」、「文化」、「趣味」、「実用」、「科学」、「政治」、「生活」といった項目からなる大カテゴリ（大分類）を有し、当該大カテゴリの「社会」という項目を選択すると、「ブランド品」という項目からなる第２階層（小カテゴリ（小分類））が有するようにされている。
【０１７０】
なお、図１４においては、第２階層の小カテゴリを構成する項目は「ブランド品」のみである。しかし、これに限るものではなく、後述もするように、小カテゴリを構成する項目を追加するなどして、オントロジ辞書の内容を増やして行くようにすることもできる。例えば、「ノーブランド品」、「ショップ（店）」などの種々の項目を第２階層に追加していくこともできるようにされる。
【０１７１】
第２階層の「ブランド品」を選択すると、「フランス」、「アメリカ」、「イタリア」という項目からなる第３階層（産地の階層）が有するようにされている。第３階層の項目「フランス」を選択すると、「ＶＶＶＶＶ」、「ＥＥＥＥＥ」といった項目からなる第４階層（店名（ブランド名）階層）が有するようにされている。
【０１７２】
同様に、第３階層の項目「アメリカ」を選択すると、「ＣＣＣＣＣ」といった項目からなる第４階層（店名（ブランド名）階層）が有するようにされ、第３階層の項目「イタリア」を選択すると、「ＦＦＦＦＦ」といった項目からなる第４階層（店名（ブランド名）階層）が有するようにされている。
【０１７３】
そして、第４階層の項目であるブランド名「ＶＶＶＶＶ」を選択すると、レディス（女性）用として、「シティバッグ」、「ラゲージ」、「ポシェット＆クラッチ」、「財布＆レザーグッズ（小物）」、「ダイアリー」、「シューズ」、「ジュエリー」、…などの項目を有すると共に、細かくは図示しないがメンズ（男性）用としの項目をも有する第５階層（商品ジャンル階層）が有するようにされている。同様に、第４階層の項目であるブランド名「ＥＥＥＥＥ」を選択した場合にも、レディス用の各項目、メンズ用の各項目を有する第５階層（商品ジャンル階層）が有するようにされる。
【０１７４】
次に、図１５に示すように、ブランド名「ＶＶＶＶＶ」についての第５階層（商品ジャンル階層）の項目「シティバッグ」を選択すると、「通常模様タイプ」、「通常模様タイプ・デニム」、「通常模様タイプ・マルチカラー」、「通常模様タイプ・ＶＶＸ」、「通常模様タイプ・スエード」、「複合模様タイプ」、…などの項目を有する第６階層（商品カテゴリ階層）が有するようにされる。
【０１７５】
そして、第６階層（商品カテゴリ階層）の項目「通常模様タイプ・デニム」を選択すると、「ミニ○○○○」、「ＧＧＧＧ」、「ＰＰＰＰ」、…などの項目を有する第７階層（商品名階層）が有するようにされる。この第７階層（商品名階層）の項目「ミニ○○○○」を選択すると、「青」、「ピンク」などの項目からなる第８階層（商品属性（色）階層）が有するようにされる。
【０１７６】
また、第６階層（商品カテゴリ階層）の項目「通常模様タイプ・マルチカラー」を選択すると、「ＸＸ」、「ＹＹＹＹＹ」、「ＺＺＺＺＺ」、…などの項目を有する第７階層（商品名階層）が有するようにされる。この第７階層（商品名階層）の項目「ＸＸ」を選択すると、「青」、「ピンク」などの項目からなる第８階層（商品属性（色）階層）が有するようにされる。
【０１７７】
同様に、図１５に示すように、ブランド名「ＥＥＥＥＥ」についての第５階層（商品ジャンル階層）の項目「シティバッグ」を選択すると、「ＡＡ」、「ＢＢ」、「ＣＣ」、「ＤＤ」、…などの項目を有する第６階層（商品カテゴリ階層）が有するようにされる。
【０１７８】
そして、第６階層（商品カテゴリ階層）の項目「ＡＡ」を選択すると、「ＡＡ−１」、「ＡＡ−２」、…などの項目を有する第７階層（商品名階層）が有するようにされる。この第７階層（商品名階層）の項目「ＡＡ−１」を選択すると、「グレー」、「ベージュ」などの項目からなる第８階層（商品属性（色）階層）が有するようにされる。
【０１７９】
このように、この例のオントロジ辞書は、８つの階層からなるものであり、インターネットを通じてダウンロードしたり、無線ＬＡＮを通じて外部機器から取得したり、あるいは、他の携帯電話端末から提供を受けるなどして取得することができるようにされる。そして、オントロジ辞書の取得後においては、当該オントロジ辞書を構成する各項目（ワード（語））に対して、例えば、「好き」、「嫌い」、「欲しい」、「欲しくない」、「安い」、「高い」などの属性情報を付加することができるようにされる。
【０１８０】
また、このオントロジ辞書に基づいて、コンテンツデータに付加されているメタデータやコンテンツデータがテキストデータを含むものであるときにはタイトルや本分を、当該オントロジ辞書に基づいて解析、分類し、特定の属性情報を持つコンテンツデータのサマリ情報を取得して保持したりするなどのことができるようにされる。
【０１８１】
また、オントロジ辞書を取得した後において、足りないブランチ、例えば、図１４、図１５に示したオントロジ辞書の場合には、ブランド名「ＣＣＣＣＣ」やブランド名「ＦＦＦＦＦ」についての商品ジャンル、商品カテゴリ、商品名、商品属性などを取得して追加することもできるようにされる。
【０１８２】
したがって、オントロジ辞書について、属性情報を付加したり、足りないブランチを追加したりしていくことにより、機器に搭載するようにされたオントロジ辞書をカスタマイズしていき、各使用者の携帯電話端末毎に固有のカスタマイズ辞書にしていくこともできるようにされる。
【０１８３】
次に、図１４、図１５を用いて説明したオントロジ辞書を記憶保持しているこの実施の形態の携帯電話端末１００において、コンテンツデータを出力（表示）する場合の具体的な態様について説明する。なお、図８を用いて説明した例の場合には、アドレス交換時などにおいて提供を受けて収集するようにした属性情報を用いて、自機が蓄積しているコンテンツデータを系統立て出力するようにした。しかし、以下に説明する例の場合には、使用者アドレスデータに対して使用者が設定した属性情報を用いて、自機が蓄積しているコンテンツデータを系統立て出力する場合について説明する。
【０１８４】
図１６は、この実施の形態の携帯情報端末１００に記憶保持されている使用者アドレスデータ中の属性情報の一覧リストである。図１６に示すように、携帯電話端末１００のメモリ部１０５の不揮発性メモリに記憶保持されている使用者アドレスデータ中には、「性別」、「好きなもの」、「欲しいもの」という３種類の属性情報が登録するようにされている。
【０１８５】
そして、図１６に示すように、性別は「女性」、「好きなもの」は、「○○ちゃん（モデル）」、「ＶＶＶＶＶ（ブランド名）」、「通常模様タイプ・デニム」、「バッグ」、「ピンク」、「ジュエリー」であり、欲しいものは、「安いブランド品」、「通常模様タイプ・マルチカラー」であるというように登録されているものとする。
【０１８６】
図１７は、この例において、操作部１０６を通じて、オントロジ辞書を用いたコンテンツデータの表示を行うようにする操作を受け付けた携帯電話端末１００の制御部１０８が、携帯電話端末１００の表示画面１０７に最初に表示する表示画像について説明するための図である。
【０１８７】
図１７に示すように、表示画面１０７の最上部１０７Ｔには、基地局からの送信信号の受信電界強度を通知するための電界強度アイコンと、電子メール機能の実行を指示するための電子メールアイコンと、バッテリ残量を示すバッテリ残量アイコンと、現在時刻表示とが表示するようにされている。
【０１８８】
また、図１７に示すように、表示画面１０７の最下部には、ガイダンス情報として、機能部７１、ＭＥＮＵ（メニュー）部７２、選択部７３、開く部７４、表示切替部７５とが設けられている。そして、それぞれ操作部１０６に設けられる操作キーであって、機能部７１に対応する操作キーを操作することにより、目的とする機能を実行することができるようにされ、ＭＥＮＵ部７２に対応する操作キーを操作することにより、メニューを表示することができるようにされる。
【０１８９】
また、選択部７３の各三角印に対応する操作キーを操作することにより、カーソルを移動して項目を選択することができるようにされ、開く部７４に対応する操作キーを操作することにより、選択したフォルダやファイルを開いて、目的とする情報を表示するなどのことができるようにされ、また、表示切替部７５に対応する操作キーを操作することにより、表示部１０７の表示を切り替えることができるようにされる。
【０１９０】
そして、上述したように、オントロジ辞書を用いたコンテンツデータの表示を行うようにする操作を受け付けた携帯電話端末１００の制御部１０８は、図１４、図１５に示したオントロジ辞書に基づいて、項目「ブランド品」が唯一の構成要素である第２階層から３階層分の項目を表示する。
【０１９１】
すなわち、図１７に示すように、第１階層の「ブランド品」の中には、第２階層として「フランス」、「アメリカ」、「イタリア」が存在し、第２階層の「フランス」の中にはブランド名として「ＶＶＶＶＶ」と「ＥＥＥＥＥ」とが存在することが示される。また、第２階層の「アメリカ」の中にはブランド名として「ＣＣＣＣＣ」が存在することが示され、第２階層の「イタリア」の中にはブランド名「ＦＦＦＦＦ」が存在することが示される。
【０１９２】
そして、携帯電話端末１００の使用者が、選択部７３の各三角形に対応する操作部１０６の操作キーを操作することにより、図１７においてカーソルＳＬをブランド名「ＶＶＶＶＶ」に位置付けて、開く部７４に対応する操作キー部１０６の対応する操作キーを操作し、カーソルＳＬを位置付けたフォルダを開くようにする操作を行うと、当該携帯電話端末１００の制御部１０８は、図１８に示すように表示部１０７の表示画像を変更する。
【０１９３】
図１８は、図１７に続く画面表示を説明するための図である。図１７において、ブランド名「ＶＶＶＶＶ」にカーソルＳＬを位置付けて、当該ブランド名「ＶＶＶＶＶ」に対応するフォルダを開くようにすると、制御部１０８は、図１４に示した第４階層のブランド名「ＶＶＶＶＶ」を最上位に位置付け、当該ブランド名「ＶＶＶＶＶ」から３階層分の項目を表示する。具体的には、図１８Ａに示すように、第４階層のブランド名「ＶＶＶＶＶ」〜第６階層の商品カテゴリまでの項目である。
【０１９４】
すなわち、この図１８Ａに示した例の場合には、図１４、図１５を用いて説明したブランド品についてのオントロジ辞書に従った階層表示を行うが、図１６に示した自機の使用者の属性情報をも考慮し、自機の使用者の「好きなもの」や「欲しいもの」として登録されている属性情報に対応するアイテムを優先的に表示する。すなわち、図１６に示した属性一覧にいては、「通常模様タイプ・デニム」が好きなものの属性情報とて登録されており、第６階層の商品カテゴリにおいては、「通常模様タイプ・デニム」が最上位に位置するようにされる。
【０１９５】
そして、図１８Ａの表示の状態にあるときに、商品カテゴリの「通常模様タイプ・デニム」にカーソルＳＬを位置付けて、当該商品カテゴリ「通常模様タイプ・デニム」に対応するフォルダを開くようにすると、制御部１０８は、表示画面を図１８Ｂに示すように遷移させる。すなわち、すなわち、図１５に示した第６階層の商品カテゴリ「通常模様タイプ・デニム」を最上位に位置付け、図１４、図１５に示したブランド品についてのオントロジ辞書にしたって、自機内のコンテンツデータを表示する。
【０１９６】
制御部１０８は、まず、図１４、図１５を用いて説明したブランド品についてのオントロジ辞書にしたがって、商品カテゴリ「通常模様タイプ・デニム」を最上位に位置付けると共に、「通常模様タイプ・デニム」に属する第７階層の商品名である「ＧＧＧＧ」、「ミニ○○○○」、「ミニＸＸＸＸ」などの項目を表示する。
【０１９７】
次に、制御部１０８は、オントロジ辞書にしたがって、自機に蓄積されているコンテンツデータに付加されているメタデータやコンテンツデータが電子メールデータなどのテキストデータである場合には、そのタイトルや本文についての構文解析を行うと共に、認識した各ワード（語）にしたがって分類処理を行い、この分類処理の結果を用い、表示対象の商品カテゴリや商品名を有するコンテンツデータを抽出して出力するようにする。
【０１９８】
この場合、使用者アドレスデータの属性情報をも考慮し、使用者アドレスデータ中に登録されている使用者についての属性情報に対応する商品カテゴリや商品名をメタデータやタイトル中や本文中に有するコンテンツデータを優先的に出力（表示）するようにする。ここで、優先的という文言は、上位に出力するようにしたり、他のコンテンツデータよりも大きく出力したりするなど、属性情報を有さないコンテンツデータよりも優位に出力することを意味している。
【０１９９】
このように、ブランド品についてのオントロジ辞書を用いて解析、分類を行うので、当該オントロジ辞書に応じたワード（語）をメタデータなどに有するコンテンツデータを抽出して表示することが可能であり、さらに使用者の属性情報と同じ情報をメタデータとして有していたり、タイトル中や本文中にワード（語）として有していたりするコンテンツデータを優先的に出力することができるようにされる。
【０２００】
図１８Ｂの場合には、画像ＳＮ１１、画像ＳＮ１２、画像ＳＮ１３が、上述したように、解析、分類の結果に基づいて抽出された表示対象の商品カテゴリや商品名をメタデータなどとして有する画像コンテンツデータである。この場合、使用者の属性情報にも対応しているコンテンツデータについては、上述もしたように優先的に表示するようにされる。
【０２０１】
また、画像コンテンツデータだけでなく電子メールデータに付いても出力することができる。図１８Ｂの例の場合には、Ｍｉｎａ（ミナ）さんから、商品カテゴリ「通常模様タイプ・デニム」に属する商品名「ミニ○○○○」であるものを購入したことを知らせる電子メールがあることが表示されている。そして、電子メールアイコンＰ１１を選択することにより、当該電子メールの本文を表示して、読むことができるようにされる。
【０２０２】
また、アイコンＰ１２を選択することにより、自機に登録されている使用者の嗜好などに応じた属性情報に基づいて、関連する情報をインターネットなどのネットワークを経由して取得し、これを表示することもできる。なお、当該関連する情報としては、例えば、ＲＳＳ（RDF Site Summary/Rich Site Summary/Really Simple Syndication）によって記述されたヘッドライン情報などである。
【０２０３】
また、アイコンＰ１３を選択することにより、自己が保持するＧＰＳ（Global Positioning System）地図情報やインターネット上に公開された地図情報などから、自機に登録されている使用者の嗜好などに応じた属性情報に基づいて、当該属性情報に応じたものを販売しているショップの位置を示す地図情報などを取得して表示することなどもできるようにされる。
【０２０４】
なお、表示切替部７５に対応する操作キーを操作することによって、使用者の属性情報については考慮せずに、オントロジ辞書に応じた階層表示を行うようにすることもできる。
【０２０５】
また、コンテンツデータに対して付加されているメタデータや、コンテンツデータが電子メールデータなどのテキストデータであるときには、タイトルや本文に含まれるワード（語）のうち、多いものについては、使用者アドレスデータの属性情報に登録する。これにより、属性情報自体を入力しなくても、自機に蓄積するコンテンツデータに対してメタデータを付加するなど、コンテンツデータについて整備していくことにより、属性情報をも整備することができる。
【０２０６】
また、図１４、図１５を用いて説明したブランド品についてのオントロジ辞書を構成する各ワード（語）に対して、上述もしたように、「好き」、「欲しい」、「安い」などの属性情報を設定して、カスタマイズしたオントロジ辞書を作成するようにしている場合には、当該オントロジ辞書の属性情報が「好き」となっているワード（語）や「欲しい」となっているワード（語）を、使用者アドレスデータの属性情報として登録するようにすることもできる。
【０２０７】
このように、オントロジ辞書の階層に応じると共に、自機に登録された使用者の属性情報をも考慮することによって、コンテンツデータを系統立てて表示するようにし、使用者が必要とするであろうコンテンツデータを優先的に表示することができるようにされる。
【０２０８】
［辞書交換を行う場合について］
次に、この実施の形態の携帯電話端末１００と同様に構成される携帯電話端末１００Ａと携帯電話端末１００Ｂとの間において、属性情報を含むアドレス交換を行うだけでなく、辞書情報全般を交換する場合の具体例について説明する。
【０２０９】
図１９は、携帯電話端末１００Ａ、携帯電話端末１００Ｂそれぞれの表示画面の例について説明するための図である。携帯電話端末１００Ａ、携帯電話端末１００Ｂのそれぞれは、ブランド品についてのオントロジ辞書を供え、これが使用者によってカスタマイズされているものとする。また、使用者アドレスデータには、使用者についての属性情報が登録されているものとする。
【０２１０】
そして、携帯電話端末１００Ａにおいては、図１９Ａに示すように、ブランド品のオントロジ辞書の第６階層の商品カテゴリ「通常模様タイプ・デニム」を最上位に位置付けると共に、「通常模様タイプ・デニム」に属する第７階層の商品名である「ＧＧＧＧ」、「ミニ○○○○」、「ミニＸＸＸＸ」などの項目を表示している。
【０２１１】
さらに、図１９Ａに示すように、携帯電話端末１００Ａの表示部１０７の表示画面には、オントロジ辞書に応じたメタデータなどの解析処理、分類処理、および、属性情報に応じた抽出処理を経て抽出されたが画像コンテンツデータに応じた画像ＳＮ１１、ＳＮ１２、ＳＮ１３や電子メールデータのタイトル、その他の関連情報が表示されると共に、アイコンＰ１１、Ｐ１２、Ｐ１３が表示されている。
【０２１２】
また、携帯電話端末１００Ｂにおいては、図１９Ｂに示すように、ブランド品のオントロジ辞書の第５階層の商品ジャンル「シューズ」と、同「シティバック」とを最上位に位置付けると共に、「シューズ」については、第６階層の商品カテゴリ「通常模様タイプ・デニム」、および、オントロジ辞書に応じたメタデータなどの解析処理、分類処理、および、属性情報に応じた抽出処理を経て抽出されたが画像コンテンツデータに応じた画像ＳＮ２１や関連情報や関連情報を取得するためのアイコンＰ２１が表示されている。
【０２１３】
また、「シティバック」については、第６階層の商品カテゴリ「通常模様タイプ・マルチカラー」、および、オントロジ辞書に応じたメタデータなどの解析処理、分類処理、および、属性情報に応じた抽出処理を経て抽出されたが画像コンテンツデータに応じた画像ＳＮ２２や関連情報やＧＰＳ地図情報を取得するためのアイコンＰ２２が表示されている。
【０２１４】
この図１９に示したような画像表示を行う携帯電話端末１００Ａ、携帯電話端末１００Ｂは、図２０に示すような使用者に関する属性情報を記憶保持している。図２０は、この例の携帯電話端末１００Ａ、携帯電話端末１００Ｂに記憶保持されている使用者に関する属性情報の一覧リストである。
【０２１５】
図２０Ａは、携帯電話端末１００Ａの使用者に関する属性一覧リストであり、属性情報として、名前（Ａｙａ）、性別（女性）、好きなもの（○○ちゃん（モデル）、ＶＶＶＶＶ（ブランド名）、通常模様タイプ・デニム、バッグ、ピンク、ジュエリー、欲しいもの（安いブランド品、通常模様タイプ・マルチカラー）といった情報が登録されていることを示している。
【０２１６】
また、図２０Ｂは、携帯電話端末１００Ｂの使用者に関する属性一覧リストであり、属性情報として、名前（Ｍｉｎａ）、性別（女性）、好きなもの（ＶＶＶＶＶ（ブランド名）、通常模様タイプ・デニム、通常模様タイプ・マルチカラー、靴（シューズ）、○○ちゃん（モデル））、知りたいこと（安い店、おいしい店）といった情報が登録されていることを示している。
【０２１７】
そして、携帯電話端末１００Ａと携帯電話端末１００Ｂとの間において、辞書交換を行うようにする。ここで辞書交換は、単に、オントロジ辞書の交換を意味するものではなく、オントロジ辞書の足りないブランチの情報の他、使用者に関する属性情報、高レイティングの属性情報をメタデータなどとして有するコンテンツデータ（すなわち、属性情報に基づいた集計を行うことにより抽出されるコンテンツデータ（コンテンツデータについてのサマライズ（集計）結果））、収集した通信の相手先についての属性情報などについても一括して交換することができるものとする。
【０２１８】
なお、辞書交換においては、交換条件の設定が可能である。例えば、属性情報の部分一致がある場合に辞書交換を行うようにしたり、属性情報が全体一致している場合に辞書交換を行うようにしたり、あるいは、高レイティングの属性情報の部分一致や全体一致の場合に辞書交換を行うようにしたり、同一種類のオントロジ辞書を有している場合に辞書交換を行うようにしたりするなどの、適宜の条件を設定することができるようにされる。また、交換可能な情報と交換不能な情報とを予め定めておくことにより、交換可能な情報のみに基づいて、辞書交換を行うようにすることもできる。
【０２１９】
そして、携帯電話端末１００Ａと携帯電話端末１００Ｂとの間で辞書交換を行った後に、コンテンツデータの表示を行うようにすると、図２１に示すように、コンテンツデータの表示を行うことができるようにされる。図２１は、辞書交換後のコンテンツデータなどの表示例について説明するための図である。
【０２２０】
図１９のようなコンテンツデータなどの表示を行っていた携帯電話端末１００Ａと携帯電話端末１００Ｂとの間で辞書交換を行った後において、コンテンツデータなどの表示を行うようにすると、携帯電話端末１００Ａにおいては、図２１Ａに示すように、図１９Ａを用いて説明した表示内容に加えて、点線で囲んだ部分の表示が携帯電話端末１００Ｂからの情報に応じて追加するようにされる。すなわち、ブランド品のオントロジ辞書の第６階層の商品カテゴリ「通常模様タイプ・マルチカラー」の項目と、これに属する画像コンテンツデータに応じた画像ＳＮ２２、関連情報、および、関連するＧＰＳ地図情報を取得する処理を実行するためのアイコンＰ２２が表示するようにされる。
【０２２１】
同様に、携帯電話端末１００Ｂにおいては、図２１Ｂに示すように、図１９Ｂを用いて説明した表示内容に加えて、点線で囲んだ部分の表示が携帯電話端末１００Ａからの情報に応じて追加するようにされる。すなわち、ブランド品のオントロジ辞書の第６階層の商品カテゴリ「通常模様タイプ・デニム」の項目と、これに属する関連情報、および、関連情報を取得する処理を実行するためのアイコンＰ１２、関連するＧＰＳ地図情報を取得する処理を実行するためのアイコンＰ１３が表示するようにされる。
【０２２２】
具体的に説明すると、図２１Ａにおいて点線で囲んだ部分の表示は、オントロジ辞書の足りないブランチの情報の他、属性情報である「好き」という情報をメタデータなどとして有するコンテンツデータや、高レイティングの属性情報をメタデータなどとして有するコンテンツデータなどを携帯電話端末１００Ｂから提供を受けることによって実現される表示である。
【０２２３】
同様に、図２１Ｂにおいて点線で囲んだ部分の表示は、オントロジ辞書の足りないブランチの情報の他、属性情報である「好き」という情報をメタデータなどとして有するコンテンツデータや、高レイティングの属性情報をメタデータなどとして有するコンテンツデータなどを携帯電話端末１００Ａから提供を受けることによって実現される表示である。
【０２２４】
このように、携帯電話端末１００Ａ、携帯電話端末１００Ｂの使用者は、自機に対して種々の情報を手入力したりするなどの複雑な操作をすることなく、辞書交換を行うことによって、オントロジ辞書の足りないブランチ情報などを収集し、これに応じて、コンテンツデータの系統立てた表示を行い、必要なコンテンツデータを迅速に利用することができるようにされる。なお、ここでは、オントロジ辞書は、足りないブランチ部分の情報を交換するものとして説明したが、辞書全体を交換するようにしてももちろんよい。なお、ここで、交換という文言は、入れ換えるという意味ではなく、相互に提供し合うことを意味している。
【０２２５】
次に、携帯電話端末１００Ａと携帯電話端末１００Ｂとの間で、辞書交換を行うようにする場合の処理について、図２２の処理フローを参照しながら説明する。図２２は、辞書交換を行う携帯電話端末１００Ａと携帯電話端末１００Ｂとのそれぞれにおいて行う処理と、協働して行うようにする処理について説明するための処理フローである。
【０２２６】
携帯電話端末１００Ａは、事前に、例えば、インターネット上の所定のシステム２００からオントロジ辞書をダウンロードしてきて、自己のオントロジ辞書ＡＪとしてメモリ部１０５の不揮発性メモリに記憶保持しておくようにする（ステップＳ１１）。なお、オントロジ辞書ＡＪは、例えば、図１４、図１５を用いて説明したブランド品についてのオントロジ辞書である。
【０２２７】
また、携帯電話端末１００Ｂも、自己のメモリ部１０５の不揮発性メモリにオントロジ辞書ＢＪを備えている。このオントロジ辞書ＢＪは、例えば、製造時などにおいて、メーカーによって予め記録するようにされたものである。なお、オントロジ辞書ＢＪは、携帯電話端末１００Ａのオントロジ辞書ＡＪと同様に、ブランド品に関するものであるが、例えば、ブランド名「ＥＥＥＥＥ」についての第５階層以下の情報、すなわち、商品ジャンル、商品カテゴリ、商品名、商品属性についての情報は備えないものである。このように、個の例において、オントロジ辞書ＡＪとオントロジ辞書ＢＪとは、同じブランド品についての辞書であるが、有するブランチが異なっているものである。
【０２２８】
また、携帯電話端末１００Ａは、使用者アドレスデータＡ１と一般アドレスデータＡ３とを有しており、携帯電話端末１００Ｂもまた、使用者アドレスデータＢ１と一般アドレスデータＢ２とを有している。これら、使用者アドレスデータＡ１、Ｂ１、一般アドレスデータＡ３、Ｂ３は、図８を用いて説明したものと同様のものである。
【０２２９】
そして、携帯電話端末１００Ａにおいては、随時に、辞書カスタマイズ処理（ステップＴ１１１）、コンテンツデータ取り込み処理（ステップＳ１１２）を行うことによって、オントロジ辞書ＡＪが徐々にカスタマイズされると共に、コンテンツデータが蓄積されて行く（ステップＴ１１）。
【０２３０】
ここで、辞書カスタマイズ処理は、各ワード（クラス）に対して属性情報を追加したり、足りないブランチの情報を追加したりする処理である。また、コンテンツデータの取り込み処理は、インターネットを通じて目的とするコンテンツデータをダウンロードしてきたり、無線ＬＡＮを通じてコンテンツデータを収集したり、赤外線送受部１１３を通じてコンテンツデータを取得したり、カメラ部１１８を通じて画像を撮影することにより画像データを取得したりする処理である。
【０２３１】
同様に、携帯電話端末１００Ｂにおいても、随時に、辞書カスタマイズ処理（ステップＴ２１１）、コンテンツデータ取り込み処理（ステップＳ２１２）が行われ、オントロジ辞書ＢＪが徐々にカスタマイズされると共に、コンテンツデータが蓄積されて行く（ステップＴ２１）。
【０２３２】
そして、この段階で、携帯電話端末１００Ａにおいては、カスタマイズされたオントロジ辞書ＡＪ（図２２においてはカスタマイズ辞書と記載）と、使用者アドレスデータＡ１や一般アドレスデータＡ３の属性情報とを用いることによって、図１９Ａに示したように、コンテンツデータに関する表示を行うことができるようにされる（ステップＴ１２）。
【０２３３】
同様に、携帯電話端末１００Ｂにおいては、カスタマイズされたオントロジ辞書ＢＪ（図２２においてはカスタマイズ辞書と記載）と、使用者アドレスデータＢ１と一般アドレスデータＢ３の属性情報とを用いることによって、図１９Ｂに示したように、コンテンツデータに関する表示を行うことができるようにされる（ステップＴ２２）。
【０２３４】
この後、通信回線を接続し（ステップＳ１２）、相互に辞書交換を行う（ステップＳ１３、ステップＳ１４）。ステップＳ１３において行われる携帯電話端末１００Ａから携帯電話端末１００Ｂに対して提供する情報は、オントロジ辞書ＡＪ、使用者アドレス情報Ａ１、これらのタグを含むコンテンツのサマリ情報、一般アドレスデータＡ３などの情報である。
【０２３５】
また、ステップＳ１４において行われる携帯電話端末１００Ｂから携帯電話端末１００Ａに対して提供する情報は、オントロジ辞書ＢＪ、使用者アドレス情報Ｂ１、これらのタグを含むコンテンツのサマリ情報、一般アドレスデータＢ３などの情報である。
【０２３６】
そして、この実施の形態において、携帯電話端末１００Ａの制御部１０８は、まず、携帯電話端末１００Ｂからのオントロジ辞書ＢＪと使用者アドレス情報Ｂ１のタグを含むコンテンツのサマリ情報の中から、自機のオントロジ辞書ＡＪと使用者アドレス情報Ａ１のタグと、属性の部分一致、あるいは、属性の全体一致、あるいは、高レイティングの属性情報などの予め決められた条件にしたがって、合致するコンテンツのサマリを抽出して記憶保持するようにすると共に、一般アドレスデータＢ３を一般アドレスデータＡ３へ追加する処理をも行う。この場合、重複するアドレスデータは追加されないようにされる。
【０２３７】
また、この実施の形態において、携帯電話端末１００Ｂの制御部１０８は、まず、携帯電話端末１００Ａからのオントロジ辞書ＡＪと使用者アドレス情報Ａ１のタグを含むコンテンツのサマリ情報の中から、自機のオントロジ辞書ＢＪと使用者アドレス情報Ｂ１のタグと、属性の部分一致、あるいは、属性の全体一致、あるいは、高レイティングの属性情報などの予め決められた条件にしたがって、合致するコンテンツのサマリを抽出して記憶保持するようにすると共に、自機のオントロジ辞書ＢＪに足りないブランチを、オントロジ辞書ＡＪから抽出して追加する処理を行う。
【０２３８】
そして、携帯電話端末１００Ａにおいては、辞書交換により取得した情報をも含めて、属性判定処理を実行する（ステップＴ１３）。このステップＴ１３においては、オントロジ辞書ＡＪに基づいて、コンテンツデータのメタデータやタイトル本文を解析して分類し、この分類結果に基づいて、使用者アドレスデータＡ１の属性情報などをも考慮して、優先的に表示すべきコンテンツデータを抽出する。
【０２３９】
このステップＴ１３の属性判定処理に基づいて、コンテンツデータなどの表示を行う（ステップＳＴ１４）。このステップＴ１４においては、図２１Ａを用いて説明したように、図１９Ａに示した表示に加えて、辞書交換により得た情報を含めた表示が行うようにされる。
【０２４０】
同様に、携帯電話端末１００Ｂにおいては、辞書交換により取得した情報をも含めて、属性判定処理を実行する（ステップＴ２３）。このステップＴ２３においては、オントロジ辞書ＢＪに基づいて、コンテンツデータのメタデータやタイトル本文を解析して分類し、この分類結果に基づいて、使用者アドレスデータＢ１の属性情報などをも考慮して、優先的に表示すべきコンテンツデータを抽出する。
【０２４１】
このステップＴ２３の属性判定処理に基づいて、コンテンツデータなどの表示を行う（ステップＳＴ２４）。このステップＴ２４においては、図２１Ｂを用いて説明したように、図１９Ｂに示した表示に加えて、辞書交換により得た情報を含めた表示が行うようにされる。
【０２４２】
このように、辞書交換を行うことによって、各携帯電話端末の使用者は、自身が種々の情報を自己の携帯電話端末に登録するなどの面倒な操作を行わなくても、必要な情報を取得し、この情報に応じてコンテンツデータを系統立てて表示するようにすることによって、使用者が必要とするであろうコンテンツデータを優先的に表示することができるようにされる。
【０２４３】
［その他］
なお、上述した実施の形態においては、アドレス交換や辞書交換を行う場合には、相互に情報を提供し合うものとして説明したが、これに限るものではない。少なくとも、他者の使用者属性情報や、辞書情報などの必要な情報を他機から貰うことができれば、自機から情報を提供する構成を備えなくてもよい。
【０２４４】
また、上述した実施の形態においては、携帯電話端末にこの発明を適用した場合を例にして説明したが、これに限るものではない。無線ＬＡＮ、赤外線通信、近距離無線通信、有線経由の通信など、何らかの手段を用いて、コンテンツデータを収集したり、使用者属性情報や辞書情報などの必要な情報を収集したりすることが可能な構成を有する種々の機器、例えば、ＰＤＡ（Personal Digital Assistant）などと呼ばれる携帯情報端末、ノート型のパーソナルコンピュータ、電子手帳などの種々の電子機器にこの発明を適用することができる。
【０２４５】
また、オントロジ辞書は、上述した食べ物に関するものや、ブランド品に関するものだけでなく、様々な分野において様々なものが作成されており、種々のオントロジ辞書を用いるようにすることが可能である。したがって、複数の異なるオントロジ辞書を保持するようにし、どの辞書を用いてコンテンツデータに付加されたメタデータやテキストデータであるコンテンツデータのタイトルや本文の解析、分類を行うようにするかを、選択するようにすることもできる。また、複数の異なるオントロジ辞書のそれぞれを用いて、コンテンツデータに付加されたメタデータやテキストデータであるコンテンツデータのタイトルや本文の解析、分類を行うようにすることもできる。
【０２４６】
また、上述した実施の形態においては、通信先のアドレスデータを蓄積した一般アドレスデータ（アドレス帳データ）の属性情報だけを用いたり、使用者アドレスデータだけを用いたりする場合を例にして説明したが、これに限るものではない。例えば、名前や性別などの使用者に固有の属性情報については、使用者アドレスデータから取得し、「好きなもの」、「嫌いなもの」、「欲しいもの」などの嗜好に応じた属性情報については、使用者アドレスデータと一般アドレスデータとの両方から集めて、１つの属性一覧データを形成し、これをコンテンツデータの系統立てた表示に用いるようにしてもよい。
【０２４７】
また、上述した実施の形態において、属性情報についてのレイティングは、主に出現頻度の場合を例にして説明したが、これに限るものではない。上述もしたように、この明細書において、レイティングという文言は、出現頻度、ユーザーによるプライオリティづけ（重み付け）、格付け、ランク付けなどを意味する。
【０２４８】
したがって、例えば、属性情報毎にユーザーがプライオリティづけを行って（プライオリティを設定して）、設定されているプライオリティの高い属性情報と同じメタデータやワードなどの情報を有するコンテンツデータを抽出し、これを出力するようにしてももちろんよい。
【０２４９】
また、属性情報毎にランク付けを行って、高いランクが設定された属性情報と同じメタデータやワードなどの情報を有するコンテンツデータを抽出し、これを出力するなど、種々のレイティング情報を属性情報に自動、または、手動で設定し、これを用いて、コンテンツデータを抽出して出力するようにすることができる。
【０２５０】
また、上述した実施の形態においては、画像データやテキストデータなどの表示対象のコンテンツデータを扱い場合について説明したが、これに限るものではない。音楽データなどの音声コンテンツデータについても、系統立てて出力するコンテンツデータに含めることもできる。例えば、コンテンツデータを系統立てて表示する場合に、音楽コンテンツデータをも含める場合には、音楽コンテンツデータに付加するようにされている題名（テキストデータ）やイメージ画像を出力するようにすればよい。
【０２５１】
また、コンテンツデータの系統立てた出力は、表示に限るものではない。例えば、プリンタを通じて出力したり、コンテンツデータが音楽データの場合には、優先して出力すべき音楽コンテンツを特定して、これを順次に再生して音声を放音したりするようにしてもよい。
【図面の簡単な説明】
【０２５２】
【図１】この発明の一実施の形態が適用された携帯電話端末１００を説明するためのブロック図である。
【図２】携帯電話端末１００の使用者（ユーザー）の使用者アドレスデータ（本人情報）について説明するための図である。
【図３】携帯電話端末１００のいわゆるアドレス帳データについて説明するための図である。
【図４】種々のコンテンツデータに対して付加されるメタデータについて説明するための図である。
【図５】オントロジ辞書を記述するために用いるＵＭＬ（Unified Modeling Language）のクラス図を説明するための図である。
【図６】ＵＭＬを用いて記述するようにした「食べ物」についてのオントロジ辞書の一部を説明するための図である。
【図７】図６に示した「食べ物」のオントロジ辞書に基づいて、「おいしい」という属性（属性値）が付加された「食べ物」に関するワード（語）の階層関係を示す図である。
【図８】自機に蓄積されているコンテンツデータを系統立てて出力する処理の一例を説明するための処理フローである。
【図９】携帯電話端末１００Ａの一般アドレスデータに格納されている属性情報について説明するための図である。
【図１０】図８に示した携帯電話端末１００Ａのメモリ部１０５の不揮発性メモリに蓄積されているコンテンツデータについて説明するための図である。
【図１１】高レイティングの属性情報をメタデータやワード（語）として含むコンテンツデータを優先して表示する場合の例を説明するための図である。
【図１２】オントロジ辞書にしたがった階層表示を行うようにする場合の例を説明するための図である。
【図１３】オントロジ辞書にしたがった階層表示を行うようにする場合の例を説明するための図である。
【図１４】オントロジ辞書の他の例を説明するための図である。
【図１５】図１４に続く、オントロジ辞書の他の例を説明するための図である。
【図１６】携帯情報端末１００に記憶保持されている使用者アドレスデータ中の属性情報の一覧リストを説明するための図である。
【図１７】コンテンツデータの表示が指示された場合において、携帯電話端末１００の表示画面１０７に最初に表示する画像の例について説明するための図である。
【図１８】図１７に続く画面表示の例を説明するための図である。
【図１９】携帯電話端末１００Ａ、携帯電話端末１００Ｂそれぞれの表示画面の例について説明するための図である。
【図２０】携帯電話端末１００Ａ、携帯電話端末１００Ｂに記憶保持されている使用者に関する属性情報の一覧リストについて説明するための図である。
【図２１】辞書交換後のコンテンツデータなどの表示例について説明するための図である。
【図２２】辞書交換を行う携帯電話端末１００Ａと携帯電話端末１００Ｂとの処理について説明するための処理フローである。
【符号の説明】
【０２５３】
１００、１００Ａ、１００Ｂ…携帯電話端末、１０１…内蔵アンテナ、１０２…通信回路、１０３…マイクロホン、１０４…スピーカ、１０５…メモリ部、１０６…操作部、１０７…表示部、１０８…制御部、１０９…制御ライン、１１０…データライン、１１１…無線ＬＡＮ通信アンテナ、１１２…無線ＬＡＮ通信制御部、１１３…赤外線送受部、１１４…近距離用通信アンテナ、１１５…電子マネー決済処理部、１１６…ＧＰＳ用受信アンテナ、１１７…ＧＰＳ部、１１８…カメラ部、１１９…外部メモリスロット
【図１】
2008117163.tif 000003
【図２】
2008117163.tif 000004
【図３】
2008117163.tif 000005
【図４】
2008117163.tif 000006
【図５】
2008117163.tif 000007
【図６】
2008117163.tif 000008
【図７】
2008117163.tif 000009
【図８】
2008117163.tif 000010
【図９】
2008117163.tif 000011
【図１０】
2008117163.tif 000012
【図１１】
2008117163.tif 000013
【図１２】
2008117163.tif 000014
【図１３】
2008117163.tif 000015
【図１４】
2008117163.tif 000016
【図１５】
2008117163.tif 000017
【図１６】
2008117163.tif 000018
【図１７】
2008117163.tif 000019
【図１８】
2008117163.tif 000020
【図１９】
2008117163.tif 000021
【図２０】
2008117163.tif 000022
【図２１】
2008117163.tif 000023
【図２２】
2008117163.tif 000024